(57)【要約】      （修正有）【課題】マルチメディアブロードキャストマルチキャストサービス（ＭＢＭＳ）を管理するための方法、システムおよびデバイスを提供する。【解決手段】少なくとも１つのＭＢＭＳについてのサービス告知情報を受信する。サービス告知情報の少なくともサブセットを、ピア発見信号においてブロードキャストする。次いで、少なくとも１つのＭＢＭＳのコンテンツを、基地局のカバレージエリアの外側で動作する少なくとも１つのモバイルデバイスへリレーする。また、カバレージ外ステータスインジケータまたはＭＢＭＳクエリを、第１のピア発見信号においてブロードキャストする。第２のピア発見信号を、少なくとも１つのＭＢＭＳリレーデバイスから受信する。第２のピア発見信号は、少なくとも１つのＭＢＭＳについてのサービス告知情報の少なくともサブセットを含む。【選択図】図８
2019195191.tif 000002
【特許請求の範囲】
【請求項１】
マルチメディアブロードキャストマルチキャストサービス（ＭＢＭＳ）を管理するための方法であって、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を備える方法。
【請求項２】
前記ピア発見信号においてブロードキャストするために、前記サービス告知情報の前記少なくともサブセットを選択すること
をさらに備える、請求項１に記載の方法。
【請求項３】
前記少なくとも１つのＭＢＭＳの１つまたは複数のパラメータを識別することと、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定することと
をさらに備える、請求項１に記載の方法。
【請求項４】
前記少なくとも１つのＭＢＭＳの前記コンテンツが前記基地局によって送達されることになるという第１の通知を受信すること
をさらに備える、請求項１に記載の方法。
【請求項５】
前記第１の通知を受信すると、前記少なくとも１つのモバイルデバイスへ第２の通知を送信すること
をさらに備える、請求項４に記載の方法。
【請求項６】
前記少なくとも１つのＭＢＭＳの少なくとも１つのマルチキャストストリームを受信することと、
前記基地局の前記カバレージエリアの外側で動作する前記少なくとも１つのモバイルデバイスへ、前記少なくとも１つのマルチキャストストリームを再送信することと
をさらに備える、請求項１に記載の方法。
【請求項７】
複数のＭＢＭＳから、前記少なくとも１つのＭＢＭＳを選択すること
をさらに備える、請求項１に記載の方法。
【請求項８】
前記ピア発見信号において、前記少なくとも１つのＭＢＭＳの前記コンテンツをリレーするための能力を示すＭＢＭＳリレーステータスをブロードキャストすること、
をさらに備える、請求項１に記載の方法。
【請求項９】
前記ピア発見信号において、識別情報をブロードキャストすること
をさらに備える、請求項１に記載の方法。
【請求項１０】
ポイントツーポイントリンクを確立することと、
前記ポイントツーポイントリンクを介して、前記少なくとも１つのＭＢＭＳの前記コンテンツをリレーすることと
をさらに備える、請求項１に記載の方法。
【請求項１１】
ポイントツーマルチポイントリンクを確立することと、
前記ポイントツーマルチポイントリンクを介して、前記少なくとも１つのＭＢＭＳの前記コンテンツをリレーすることと
をさらに備える、請求項１に記載の方法。
【請求項１２】
マルチメディアブロードキャストマルチキャストサービス（ＭＢＭＳ）を管理するための装置であって、
少なくとも１つのＭＢＭＳについてのサービス告知情報を受信するための手段と、
ピア発見信号において、前記サービス告知情報の少なくともサブセットをブロードキャストするための手段と、
基地局のカバレージエリアの外側で動作する少なくとも１つのモバイルデバイスへ、前記少なくとも１つのＭＢＭＳのコンテンツをリレーするための手段と
を備える装置。
【請求項１３】
前記ピア発見信号においてブロードキャストするために、前記サービス告知情報の前記少なくともサブセットを選択するための手段
をさらに備える、請求項１２に記載の装置。
【請求項１４】
前記少なくとも１つのＭＢＭＳの１つまたは複数のパラメータを識別するための手段と、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定するための手段と
をさらに備える、請求項１２に記載の装置。
【請求項１５】
前記少なくとも１つのＭＢＭＳの前記コンテンツが前記基地局によって送達されることになるという第１の通知を受信するための手段
をさらに備える、請求項１２に記載の装置。
【請求項１６】
前記第１の通知を受信すると、前記少なくとも１つのモバイルデバイスへ第２の通知を送信するための手段
をさらに備える、請求項１５に記載の装置。
【請求項１７】
前記少なくとも１つのＭＢＭＳの少なくとも１つのマルチキャストストリームを受信するための手段と、
前記基地局の前記カバレージエリアの外側で動作する前記少なくとも１つのモバイルデバイスへ、前記少なくとも１つのマルチキャストストリームを再送信するための手段とをさらに備える、請求項１２に記載の装置。
【請求項１８】
複数のＭＢＭＳから、前記少なくとも１つのＭＢＭＳを選択するための手段
をさらに備える、請求項１２に記載の装置。
【請求項１９】
前記ピア発見信号において、前記少なくとも１つのＭＢＭＳの前記コンテンツをリレーするための能力を示すＭＢＭＳリレーステータスをブロードキャストするための手段、をさらに備える、請求項１２に記載の装置。
【請求項２０】
前記ピア発見信号において、識別情報をブロードキャストするための手段
をさらに備える、請求項１２に記載の装置。
【請求項２１】
ポイントツーポイントリンクを確立するための手段と、
前記ポイントツーポイントリンクを介して、前記少なくとも１つのＭＢＭＳの前記コンテンツをリレーするための手段と
をさらに備える、請求項１２に記載の装置。
【請求項２２】
ポイントツーマルチポイントリンクを確立するための手段と、
前記ポイントツーマルチポイントリンクを介して、前記少なくとも１つのＭＢＭＳの前記コンテンツをリレーするための手段と
をさらに備える、請求項１２に記載の装置。
【請求項２３】
マルチメディアブロードキャストマルチキャストサービス（ＭＢＭＳ）を管理するための装置であって、
プロセッサと、
前記プロセッサと電子通信しているメモリと、
前記メモリに記憶された命令と、
を備え、
前記命令が、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を行うように前記プロセッサによって実行可能である、
装置。
【請求項２４】
前記命令が、
前記ピア発見信号においてブロードキャストするために、前記サービス告知情報の前記少なくともサブセットを選択すること
を行うように前記プロセッサによって実行可能である、請求項２３に記載の装置。
【請求項２５】
前記命令が、
前記少なくとも１つのＭＢＭＳの１つまたは複数のパラメータを識別することと、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定することと
を行うように前記プロセッサによって実行可能である、請求項２３に記載の装置。
【請求項２６】
前記命令が、
前記ピア発見信号において、前記少なくとも１つのＭＢＭＳの前記コンテンツをリレーするための能力を示すＭＢＭＳリレーステータスをブロードキャストすること、
を行うように前記プロセッサによって実行可能である、請求項２３に記載の装置。
【請求項２７】
前記命令が、
前記ピア発見信号において、識別情報をブロードキャストすること
を行うように前記プロセッサによって実行可能である、請求項２３に記載の装置。
【請求項２８】
前記命令が、
ポイントツーポイントリンクを確立することと、
前記ポイントツーポイントリンクを介して、前記少なくとも１つのＭＢＭＳの前記コンテンツをリレーすることと
を行うように前記プロセッサによって実行可能である、請求項２３に記載の装置。
【請求項２９】
前記命令が、
ポイントツーマルチポイントリンクを確立することと、
前記ポイントツーマルチポイントリンクを介して、前記少なくとも１つのＭＢＭＳの前記コンテンツをリレーすることと
を行うように前記プロセッサによって実行可能である、請求項２３に記載の装置。
【請求項３０】
マルチメディアブロードキャストマルチキャストサービス（ＭＢＭＳ）を管理するためのコンピュータプログラム製品であって、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を行うようにプロセッサによって実行可能な命令を記憶する、非一時的コンピュータ可読媒体を備える、コンピュータプログラム製品。
【請求項３１】
前記命令が、
前記ピア発見信号において、前記少なくとも１つのＭＢＭＳの前記コンテンツをリレーするための能力を示すＭＢＭＳリレーステータスをブロードキャストすること、
を行うように前記プロセッサによって実行可能である、請求項３０に記載のコンピュータプログラム製品。
【請求項３２】
前記命令が、
ポイントツーポイントリンクを確立することと、
前記ポイントツーポイントリンクを介して、前記少なくとも１つのＭＢＭＳの前記コンテンツをリレーすることと
を行うように前記プロセッサによって実行可能である、請求項３０に記載のコンピュータプログラム製品。
【請求項３３】
前記命令が、
ポイントツーマルチポイントリンクを確立することと、
前記ポイントツーマルチポイントリンクを介して、前記少なくとも１つのＭＢＭＳの前記コンテンツをリレーすることと
を行うように前記プロセッサによって実行可能である、請求項３０に記載のコンピュータプログラム製品。
【請求項３４】
マルチメディアブロードキャストマルチキャストサービス（ＭＢＭＳ）を管理するための方法であって、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、を備える方法。
【請求項３５】
特定のＭＢＭＳのコンテンツを送達するためのＭＢＭＳリレーデバイスを識別することと、
前記識別されたＭＢＭＳリレーデバイスに関連付けるための手順を開始することと
をさらに備える、請求項３４に記載の方法。
【請求項３６】
前記識別されたＭＢＭＳリレーデバイスに関連付けるための前記手順が、
前記ＭＢＭＳリレーデバイスへ、前記特定のＭＢＭＳに加入するための要求を送信することを備え、
前記要求が、前記ＭＢＭＳリレーデバイスからコアネットワークへリレーされる、請求項３５に記載の方法。
【請求項３７】
ＭＢＭＳの１つまたは複数の加入者にアドレス指定されたコンテンツをブロードキャストすることをさらに備え、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、請求項３４に記載の方法。
【請求項３８】
マルチメディアブロードキャストマルチキャストサービス（ＭＢＭＳ）を管理するための装置であって、
第１のピア発見信号において、カバレージ外ステータスインジケータまたはＭＢＭＳクエリをブロードキャストするための手段と、
少なくとも１つのＭＢＭＳリレーデバイスから、少なくとも１つのＭＢＭＳについてのサービス告知情報の少なくともサブセットを備える第２のピア発見信号を受信するための手段と、
を備える装置。
【請求項３９】
特定のＭＢＭＳのコンテンツを送達するためのＭＢＭＳリレーデバイスを識別するための手段と、
前記識別されたＭＢＭＳリレーデバイスに関連付けるための手順を開始するための手段と
をさらに備える、請求項３８に記載の装置。
【請求項４０】
前記識別されたＭＢＭＳリレーデバイスに関連付けるための前記手順を開始するための前記手段が、
前記ＭＢＭＳリレーデバイスへ、前記特定のＭＢＭＳに加入するための要求を送信するための手段を備え、
前記要求が、前記ＭＢＭＳリレーデバイスからコアネットワークへリレーされる、請求項３９に記載の装置。
【請求項４１】
ＭＢＭＳの１つまたは複数の加入者にアドレス指定されたコンテンツをブロードキャストするための手段をさらに備え、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、請求項３８に記載の装置。
【請求項４２】
マルチメディアブロードキャストマルチキャストサービス（ＭＢＭＳ）を管理するための装置であって、
プロセッサと、
前記プロセッサと電子通信しているメモリと、
前記メモリに記憶された命令と
を備え、前記命令が、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、
を行うように前記プロセッサによって実行可能である、
装置。
【請求項４３】
前記命令が、
特定のＭＢＭＳのコンテンツを送達するためのＭＢＭＳリレーデバイスを識別することと、
前記識別されたＭＢＭＳリレーデバイスに関連付けるための手順を開始することと
を行うように前記プロセッサによって実行可能である、請求項４２に記載の装置。
【請求項４４】
前記識別されたＭＢＭＳリレーデバイスに関連付けるための前記手順を開始するための前記命令が、
前記ＭＢＭＳリレーデバイスへ、前記特定のＭＢＭＳに加入するための要求を送信するための命令を備え、
前記要求が、前記ＭＢＭＳリレーデバイスからコアネットワークへリレーされる、請求項４３に記載の装置。
【請求項４５】
前記命令が、
前記ＭＢＭＳの１つまたは複数の加入者にアドレス指定されたコンテンツをブロードキャストすること、を行うように前記プロセッサによって実行可能であり、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、請求項４２に記載の装置。
【請求項４６】
マルチメディアブロードキャストマルチキャストサービス（ＭＢＭＳ）を管理するためのコンピュータプログラム製品であって、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、
を行うようにプロセッサによって実行可能な命令を記憶する、非一時的コンピュータ可読媒体を備える、コンピュータプログラム製品。
【請求項４７】
前記命令が、
特定のＭＢＭＳのコンテンツを送達するためのＭＢＭＳリレーデバイスを識別することと、
前記識別されたＭＢＭＳリレーデバイスに関連付けるための手順を開始することと
を行うように前記プロセッサによって実行可能である、請求項４６に記載のコンピュータプログラム製品。
【請求項４８】
前記識別されたＭＢＭＳリレーデバイスに関連付けるための前記手順を開始するための前記命令が、
前記ＭＢＭＳリレーデバイスへ、前記特定のＭＢＭＳに加入するための要求を送信するための命令を備え、
前記要求が、前記ＭＢＭＳリレーデバイスからコアネットワークへリレーされる、請求項４７に記載のコンピュータプログラム製品。
【請求項４９】
前記命令が、
前記少なくとも１つのＭＢＭＳの１つまたは複数の加入者にアドレス指定されたコンテンツをブロードキャストすること、
を行うように前記プロセッサによって実行可能であり、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、請求項４６に記載のコンピュータプログラム製品。
【発明の詳細な説明】
【技術分野】
【０００１】
相互参照
[0001]本特許出願は、本出願の譲受人に譲渡され、２０１３年７月３０日に出願された「Ｍａｎａｇｉｎｇ  ａ  Ｍｕｌｔｉｍｅｄｉａ  Ｂｒｏａｄｃａｓｔ  Ｍｕｌｔｉｃａｓｔ  Ｓｅｒｖｉｃｅ  Ｕｓｉｎｇ  ａｎ  ＭＢＭＳ  Ｒｅｌａｙ  Ｄｅｖｉｃｅ」と題する、Ｗｕらによる米国特許出願第１３／９５４，７３９号の優先権を主張する。
【背景技術】
【０００２】
[0002]ワイヤレス通信ネットワークは、いくつかのモバイルデバイスまたはユーザ機器（ＵＥ）のための通信をサポートすることができる、いくつかの基地局、ノードＢ、またはｅノードＢ（ｅＮＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００３】
[0003]３ＧＰＰ（登録商標）セルラーネットワークでは、ブロードキャストサービスおよびマルチキャストサービスは、マルチメディアブロードキャストマルチキャストサービス（ＭＢＭＳ）と呼ばれるトランスポートサービスを介してトランスポートされ得る。ブロードキャストマルチキャストサービスセンター（ＢＭ−ＳＣ）サーバは、加入者のグループにメディアコンテンツを広める役目を果たす。ＵＥがネットワークカバレージから出て移動するとき、そのＢＭ−ＳＣサーバへのアップリンク接続およびダウンリンク接続がもはや利用可能ではないので、ＵＥは、ＭＢＭＳを使用することができない場合がある。
【発明の概要】
【０００４】
[0004]説明される特徴は、概して、マルチメディアブロードキャストマルチキャストサービス（ＭＢＭＳ）を管理するための１つまたは複数の改善された方法、システム、および／または装置に関する。
【０００５】
[0005]ＭＢＭＳを管理するための方法について説明する。１つの構成では、少なくとも１つのＭＢＭＳについてのサービス告知情報が受信され得る。サービス告知情報の少なくともサブセットが、ピア発見信号においてブロードキャストされ得る。少なくとも１つのＭＢＭＳのコンテンツが、次いで、基地局のカバレージエリアの外側で動作する少なくとも１つのモバイルデバイスへリレーされ得る。
【０００６】
[0006]方法のいくつかの実施形態では、ピア発見信号においてブロードキャストするために、サービス告知情報の少なくともサブセットが選択され得る。
【０００７】
[0007]方法のいくつかの実施形態では、少なくとも１つのＭＢＭＳの１つまたは複数のパラメータが識別され得、少なくとも１つのＭＢＭＳの識別された１つまたは複数のパラメータに少なくとも部分的に基づいて、少なくとも１つのＭＢＭＳのためのリレーサービスを提供するべきか否かが決定され得る。
【０００８】
[0008]方法のいくつかの実施形態では、少なくとも１つのＭＢＭＳのコンテンツが基地局によって送達されることになるという第１の通知が受信され得る。いくつかの場合には、第１の通知を受信すると、第２の通知が、少なくとも１つのモバイルデバイスへ送信され得る。
【０００９】
[0009]方法のいくつかの実施形態では、少なくとも１つのＭＢＭＳの少なくとも１つのマルチキャストストリームが受信され得、少なくとも１つのマルチキャストストリームが、基地局のカバレージエリアの外側で動作する少なくとも１つのモバイルデバイスへ再送信され得る。
【００１０】
[0010]方法のいくつかの実施形態では、少なくとも１つのＭＢＭＳが、複数のＭＢＭＳから選択され得る。
【００１１】
[0011]方法のいくつかの実施形態では、ＭＢＭＳリレーステータスが、ピア発見信号においてブロードキャストされ得る。ＭＢＭＳリレーステータスは、少なくとも１つのＭＢＭＳのコンテンツをリレーするための能力を示し得る。
【００１２】
[0012]方法のいくつかの実施形態では、識別情報が、ピア発見信号においてブロードキャストされ得る。
【００１３】
[0013]方法のいくつかの実施形態では、ポイントツーポイントリンクが確立され得、少なくとも１つのＭＢＭＳのコンテンツが、ポイントツーポイントリンクを介してリレーされ得る。
【００１４】
[0014]方法のいくつかの実施形態では、ポイントツーマルチポイントリンクが確立され得、少なくとも１つのＭＢＭＳのコンテンツが、ポイントツーマルチポイントリンクを介してリレーされ得る。
【００１５】
[0015]ＭＢＭＳを管理するための装置についても説明する。１つの構成では、装置は、少なくとも１つのＭＢＭＳについてのサービス告知情報を受信するための手段と、ピア発見信号において、サービス告知情報の少なくともサブセットをブロードキャストするための手段と、基地局のカバレージエリアの外側で動作する少なくとも１つのモバイルデバイスへ、少なくとも１つのＭＢＭＳのコンテンツをリレーするための手段とを含み得る。
【００１６】
[0016]ＭＢＭＳを管理するための装置についても説明する。１つの構成では、装置は、プロセッサと、プロセッサと電子通信しているメモリと、メモリに記憶された命令とを含み得る。命令は、少なくとも１つのＭＢＭＳについてのサービス告知情報を受信することと、ピア発見信号において、サービス告知情報の少なくともサブセットをブロードキャストすることと、基地局のカバレージエリアの外側で動作する少なくとも１つのモバイルデバイスへ、少なくとも１つのＭＢＭＳのコンテンツをリレーすることとを行うように、プロセッサによって実行可能であり得る。
【００１７】
[0017]ＭＢＭＳを管理するためのコンピュータプログラム製品についても説明する。コンピュータプログラム製品は、少なくとも１つのＭＢＭＳについてのサービス告知情報を受信することと、ピア発見信号において、サービス告知情報の少なくともサブセットをブロードキャストすることと、基地局のカバレージエリアの外側で動作する少なくとも１つのモバイルデバイスへ、少なくとも１つのＭＢＭＳのコンテンツをリレーすることとを行うように、プロセッサによって実行可能な命令を記憶する、非一時的コンピュータ可読媒体を含み得る。
【００１８】
[0018]ＭＢＭＳを管理するための別の方法についても説明する。１つの構成では、カバレージ外ステータスインジケータまたはＭＢＭＳクエリが、第１のピア発見信号においてブロードキャストされ得、第２のピア発見信号が、少なくとも１つのＭＢＭＳリレーデバイスから受信され得る。第２のピア発見信号は、少なくとも１つのＭＢＭＳについてのサービス告知情報の少なくともサブセットを含み得る。
【００１９】
[0019]方法のいくつかの実施形態では、特定のＭＢＭＳのコンテンツを送達するためのＭＢＭＳリレーデバイスが識別され得、識別されたＭＢＭＳリレーデバイスに関連付けるための手順が開始され得る。いくつかの場合には、識別されたＭＢＭＳリレーデバイスに関連付けるための手順は、ＭＢＭＳリレーデバイスへ、特定のＭＢＭＳに加入するための要求を送信することを含み得る。この要求は、ＭＢＭＳリレーデバイスからコアネットワークへリレーされ得る。
【００２０】
[0020]いくつかの実施形態では、１つまたは複数の加入者にアドレス指定されたコンテンツが、ＭＢＭＳへブロードキャストされ得る。コンテンツは、ＭＢＭＳの１つまたは複数の加入者への配信のために、少なくとも１つのＭＢＭＳリレーデバイスのうちの１つによって、ネットワークサーバへリレーされ得る。
【００２１】
[0021]ＭＢＭＳを管理するための装置についても説明する。１つの構成では、装置は、第１のピア発見信号において、カバレージ外ステータスインジケータまたはＭＢＭＳクエリをブロードキャストするための手段と、少なくとも１つのＭＢＭＳリレーデバイスから、第２のピア発見信号を受信するための手段とを含み得る。第２のピア発見信号は、少なくとも１つのＭＢＭＳについてのサービス告知情報の少なくともサブセットを含み得る。
【００２２】
[0022]ＭＢＭＳを管理するための別の装置についても説明する。１つの構成では、装置は、プロセッサと、プロセッサと電子通信しているメモリと、メモリに記憶された命令とを含み得る。命令は、第１のピア発見信号において、カバレージ外ステータスインジケータまたはＭＢＭＳクエリをブロードキャストすることと、少なくとも１つのＭＢＭＳリレーデバイスから、第２のピア発見信号を受信することとを行うように、プロセッサによって実行可能であり得る。第２のピア発見信号は、少なくとも１つのＭＢＭＳについてのサービス告知情報の少なくともサブセットを含み得る。
【００２３】
[0023]ＭＢＭＳを管理するためのコンピュータプログラム製品についても説明する。コンピュータプログラム製品は、第１のピア発見信号において、カバレージ外ステータスインジケータまたはＭＢＭＳクエリをブロードキャストすることと、少なくとも１つのＭＢＭＳリレーデバイスから、第２のピア発見信号を受信することとを行うように、プロセッサによって実行可能な命令を記憶する、非一時的コンピュータ可読媒体を含み得る。第２のピア発見信号は、少なくとも１つのＭＢＭＳについてのサービス告知情報の少なくともサブセットを含み得る。
【００２４】
[0024]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２５】
[0025]本発明の性質および利点のさらなる理解は、以下の図面を参照して実現され得る。添付の図では、同様の構成要素または特徴は同じ参照ラベルを有する場合がある。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２６】
【図１】[0026]ワイヤレス通信システムの一例のブロック図。
【図２】[0027]様々な実施形態による、ワイヤレス通信が管理され得る環境の一例のブロック図。
【図３Ａ】[0028]様々な実施形態による、基地局のカバレージエリア内で動作するモバイルデバイスと、基地局のカバレージエリア外で動作するモバイルデバイスとの間の通信の実施形態を示すメッセージフロー図。
【図３Ｂ】様々な実施形態による、基地局のカバレージエリア内で動作するモバイルデバイスと、基地局のカバレージエリア外で動作するモバイルデバイスとの間の通信の実施形態を示すメッセージフロー図。
【図４】[0029]様々な実施形態によるモバイルデバイスの一例のブロック図。
【図５】[0030]様々な実施形態による、ピア発見モジュールの一例のブロック図。
【図６】様々な実施形態による、ピア発見モジュールの一例のブロック図。
【図７】様々な実施形態による、ピア発見モジュールの一例のブロック図。
【図８】[0031]様々な実施形態による、ＭＢＭＳを管理するための様々な方法のフローチャート。
【図９】様々な実施形態による、ＭＢＭＳを管理するための様々な方法のフローチャート。
【図１０】様々な実施形態による、ＭＢＭＳを管理するための様々な方法のフローチャート。
【図１１】様々な実施形態による、ＭＢＭＳを管理するための様々な方法のフローチャート。
【発明を実施するための形態】
【００２７】
[0032]ワイヤレス通信システムの基地局は、カバレージエリアに関連付けられる。モバイルデバイスが基地局のカバレージエリアの外側に移動するとき、モバイルデバイスは、基地局が関連付けられるワイヤレス通信システムを介するサービスを損失することがある。損失されるサービスは、いくつかの場合には、ＭＢＭＳを含み得る。ＭＢＭＳ損失の可能性を低減するために、モバイルデバイスは、ピア発見メッセージにおいて、カバレージ外ステータスインジケータまたはＭＢＭＳクエリをブロードキャストし得る。カバレージ外ステータスインジケータまたはＭＢＭＳクエリを受信する、カバレージ内デバイス（および、場合によってはモバイルデバイス）は、次いで、カバレージ外モバイルデバイスによって所望されるＭＢＭＳのためのリレーサービスを提供する（すなわち、ＭＢＭＳリレーデバイスとして機能する）ことが可能であるか否かを決定し得る。代替的に、カバレージ内モバイルデバイスは、ＭＢＭＳリレーステータスに事前に移行し、そのためにリレーサービスを提供することが可能である少なくとも１つのＭＢＭＳについてのサービス告知情報をブロードキャストし得る。サービス告知情報は、サービス告知情報に加えて、ブロードキャスティングデバイスについての識別およびＭＢＭＳリレーステータス情報を含み得る、ピア発見信号においてブロードキャストされ得る。カバレージ内モバイルデバイスのピア発見信号を受信するカバレージ外モバイルデバイスは、次いで、所望のＭＢＭＳに加入するための要求を送信し得る。いくつかの場合には、ピア発見信号は、ロングタームエボリューション（ＬＴＥ（登録商標））ダイレクトピア発見信号であり得る。
【００２８】
[0033]以下の説明は例を提供するものであり、特許請求の範囲に記載される範囲、適用性、または構成を限定するものではない。本開示の趣旨および範囲から逸脱することなく、説明される要素の機能および配置において変更が行われ得る。様々な実施形態は、適宜に様々な手順または構成要素を省略、置換、または追加し得る。たとえば、説明される方法は、説明される順序と異なる順序で実施されてよく、様々なステップが追加され、省略され、または組み合わせられてよい。また、いくつかの実施形態に関して説明される特徴は、他の実施形態において組み合わせられ得る。
【００２９】
[0034]最初に図１を参照すると、図は、ワイヤレス通信システム１００の一例を示している。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３０】
[0035]基地局１０５は、１つまたは複数の基地局アンテナを介してデバイス１１５とワイヤレス通信し得る。基地局１０５のサイトの各々は、それぞれのカバレージエリア１１０に通信カバレージを提供することができる。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術に対して重複するカバレージエリアが存在し得る。
【００３１】
[0036]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢが様々な地理的領域にカバレージを提供する、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを提供し得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３２】
[0037]コアネットワーク１３０は、バックホールリンク１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。ワイヤレス通信システム１００は、同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。本明細書で説明される技法は、同期動作または非同期動作のいずれかに対して使用され得る。
【００３３】
[0038]ＵＥ１１５はワイヤレス通信システム１００全体にわたって分散され、各ＵＥは固定またはモバイルであり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、リレー、または何らかの他の好適な用語で呼ばれることもある。ＵＥ１１５は、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。一実施形態では、基地局１０５のカバレージエリア内のＵＥ１１５は、基地局１０５のカバレージエリアの外側にあるＵＥ１１５−ａのためのリレーとして働き得る。カバレージ内ＵＥ１１５は、基地局１０５からカバレージ外ＵＥ１１５−ａへ、通信をリレー（または再送信）し得る。同様に、カバレージ内ＵＥ１１５は、カバレージエリアの外側にあるＵＥ１１５−ａから受信される通信を、基地局１０５へリレーし得る。たとえば、カバレージ内ＵＥ１１５は、カバレージ外ＵＥ１１５−ａへＭＢＭＳコンテンツをリレーし得る。
【００３４】
[0039]ワイヤレス通信システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。
【００３５】
[0040]図２は、本システムおよび方法が実装され得る環境２００の一例のブロック図である。１つの構成では、基地局１０５−ａは、基地局１０５−ａのカバレージエリア１１０−ａ内に入る１つまたは複数のデバイスと通信し得る。一例では、カバレージ内モバイルデバイス１１５−ｂ−１は、基地局１０５−ａから通信を受信／基地局１０５−ａへ通信を送信し得る。１つまたは複数のモバイルデバイス１１５−ｂ−２、１１５−ｂ−３、１１５−ｂ−４、１１５−ｂ−５は、基地局１０５−ａのカバレージエリア１１０−ａの外側であり得る。基地局１０５−ａおよびモバイルデバイス１１５−ｂは、図１を参照しながら説明された基地局１０５およびモバイルデバイス１１５の例であり得る。
【００３６】
[0041]一実施形態では、カバレージ内モバイルデバイス１１５−ｂ−１は、ピア発見信号２０５をブロードキャスト、マルチキャスト、またはユニキャストし得る。信号２０５は、１つまたは複数のカバレージ外ＵＥへ送られ得る。ピア発見信号２０５は、ロングタームエボリューション（ＬＴＥ）ダイレクトピア発見信号であり得る。１つの構成では、信号２０５は、カバレージ内モバイルデバイス１１５−ｂ−１の識別子を含み得る。たとえば、識別子は、カバレージ内モバイルデバイス１１５−ｂ−１の媒体アクセス制御（ＭＡＣ）アドレスであり得る。加えて、ピア発見信号２０５は、モバイルデバイス１１５−ｂ−１のＭＢＭＳリレーステータスを含み得る。ＭＢＭＳリレーステータスは、カバレージ内モバイルデバイス１１５−ｂ−１が１つまたは複数のカバレージ外モバイルデバイス１１５のためのリレーサービスを提供することが可能であるか否かを示し得る。ピア発見信号２０５は、ＭＢＭＳについてのサービス告知情報の一部分をさらに含み得る。モバイルデバイス１１５−ｂ−１は、１つまたは複数のＭＢＭＳについてのサービス告知情報を受信し得る。デバイス１１５−ｂ−１は、ピア発見信号２０５中に含めるために、サービス告知情報のサブセットを選択し得る。
【００３７】
[0042]一例では、カバレージ外モバイルデバイスは、２つ以上のカバレージ内モバイルデバイスからピア発見信号を受信し得る。カバレージ外モバイルデバイスは、次いで、リレーサービスを提供するための、カバレージ内モバイルデバイスのうちの１つを選択し得る。どのカバレージ内モバイルデバイスを選択するべきかについての決定は、カバレージ内モバイルデバイスから受信されたピア発見信号２０５の信号強度と、カバレージ内モバイルデバイスのアイデンティティと、カバレージ内モバイルデバイスのＭＢＭＳリレーステータスなどとに基づき得る。
【００３８】
[0043]１つの構成では、カバレージ外モバイルデバイスは、１つまたは複数のカバレージ内モバイルデバイス１１５−ｂ−１へピア発見信号２０５を送信し得る。このピア発見信号は、カバレージ外モバイルデバイスがカバレージ外であるか、またはリレーサービスを要求中であることを示し得る。この信号は、カバレージ外モバイルデバイスの識別子を含み得る。１つの構成では、モバイルデバイスは、それが基地局１０５−ａのカバレージエリア１１０−ａから出ようとしていることを検知するとき、ピア発見信号２０５をブロードキャストし得る。別の実施形態では、モバイルデバイスは、それがカバレージエリア１１０−ａからすでに出た後、信号２０５をブロードキャストし得る。
【００３９】
[0044]一例では、カバレージ外モバイルデバイス１１５−ｂ−２、１１５−ｂ−３は、互いに通信し得る。たとえば、モバイルデバイス１１５−ｂ−２、１１５−ｂ−３は、直接ピアツーピア接続を確立し得る。カバレージ内モバイルデバイス１１５−ｂ−１はまた、１つまたは複数のカバレージ外モバイルデバイスにリレーサービスを提供し得る。１つの構成では、第１のカバレージ外モバイルデバイス１１５−ｂ−４は、第２のカバレージ外モバイルデバイス１１５−ｂ−５のためのＭＢＭＳリレーデバイスとして働き得る。第１のカバレージ外モバイルデバイス１１５−ｂ−４は、それ（１１５−ｂ−４）がリレーサービスを提供することが可能であることを、第２のカバレージ外モバイルデバイス１１５−ｂ−５に知らせるために、ピア発見信号２０５を送信し得る。別の例として、第２のカバレージ外モバイルデバイス１１５−ｂ−５は、第１のカバレージ外モバイルデバイス１１５−ｂ−４からリレーサービスを要求する信号２０５を送信し得る。結果として、カバレージ内モバイルデバイス１１５−ｂ−１は、第１のカバレージ外ＵＥ１１５−ｂ−４から基地局１０５−ａへ／基地局１０５−ａから第１のカバレージ外ＵＥ１１５−ｂ−４へ、通信をリレーし得る。第１のカバレージ外モバイルデバイス１１５−ｂ−４は、第２のカバレージ外モバイルデバイス１１５−ｂ−５から／への通信の少なくとも一部分をリレーし得る。
【００４０】
[0045]図３Ａは、カバレージ内モバイルデバイス１１５−ｃ−１とカバレージ外モバイルデバイス１１５−ｃ−２との間の通信の一実施形態を示すメッセージフロー図３００である。モバイルデバイス１１５−ｃは、図１および／または図２に記載されたモバイルデバイスの例であり得る。
【００４１】
[0046]１つの構成では、カバレージ内モバイルデバイス１１５−ｃ−１は、カバレージ外モバイルデバイス１１５−ｃ−２へ、ＭＢＭＳリレーステータスおよび識別子情報３０５を送信し得る。ＭＢＭＳリレーステータスは、カバレージ内モバイルデバイス１１５−ｃ−１がＭＢＭＳトラフィックリレーサービスを提供することが可能であるか否かを示し得る。一実施形態では、リレーステータスは、カバレージ内モバイルデバイス１１５−ｃ−１が、リレーサービスを提供するために、ＬＴＥダイレクト、Ｗｉ−Ｆｉ（登録商標）ダイレクト、Ｗｉ−Ｆｉアドホック、ブルートゥース（登録商標）、および／または他の能力を有するか否かを示し得る。識別子は、カバレージ内モバイルデバイス１１５−ｃ−１を識別するように働く情報であり得る。カバレージ内モバイルデバイス１１５−ｃ−１はまた、１つまたは複数のＭＢＭＳについてのサービス告知情報のサブセットを送信し得る。
【００４２】
[0047]一例では、ＭＢＭＳリレーステータスおよび識別子は、ＭＢＭＳリレーサービスを要求するカバレージ外モバイルデバイス１１５−ｃ−２からピア発見信号を受信することに応答して、送信され得る。ＭＢＭＳリレーステータスおよび識別子は、ＬＴＥダイレクトピア発見チャネルなど、ピア発見チャネルを介して送信され得る。
【００４３】
[0048]カバレージ外モバイルデバイス１１５−ｃ−２は、３１０で、カバレージ内モバイルデバイスを識別するために、識別子を分析し得る。カバレージ外モバイルデバイス１１５−ｃ−２が、異なるカバレージ内モバイルデバイスから、それらがリレーサービスを提供するために利用可能であることを示す、２つ以上の識別子を受信する場合、カバレージ外モバイルデバイス１１５−ｃ−２は、たとえば、各カバレージ内モバイルデバイスから受信されたピア発見信号中に含まれる部分または完全サービス告知情報に基づいて、カバレージ内モバイルデバイスのうちの１つを選択し得る。カバレージ外モバイルデバイス１１５−ｃ−２は、カバレージ内モバイルデバイス１１５−ｃ−１へリレー要求３１５を送信し得る。この要求は、そのためにＭＢＭＳリレーサービスを要求中であるＭＢＭＳの明示的な情報を含み得る。要求を受信すると、ブロック３１０で、カバレージ内モバイルデバイス１１５−ｃ−１は、この特定のカバレージ外モバイルデバイス１１５−ｃ−２へリレーサービスを提供するべきか否かを決定し得る。この決定は、カバレージ内モバイルデバイス１１５−ｃ−１の利用可能なバッテリー電力と、リレー要求の信号の強度と、カバレージ内モバイルデバイス１１５−ｃ−１が別のカバレージ外モバイルデバイスにリレーサービスをすでに提供中であるか否かと、カバレージ外モバイルデバイス１１５−ｃ−２によって要求されたリレーサービスのタイプなどとに基づき得る。カバレージ内モバイルデバイス１１５−ｃ−１が、リレーサービスを提供するように決定する場合、直接ピアツーピア通信３２５が、カバレージ内モバイルデバイス１１５−ｃ−１とカバレージ外モバイルデバイス１１５−ｃ−２との間で確立され得る。直接ピアツーピア通信３２５は、ポイントツーポイント方法、またはポイントツーマルチポイント方法のいずれかで発生し得る。言い換えれば、直接ピアツーピア通信３２５は、ユニキャスト通信、マルチキャスト通信、またはブロードキャスト通信であり得る。
【００４４】
[0049]カバレージ内モバイルデバイス１１５−ｃ−１は、カバレージ外モバイルデバイス１１５−ｃ−２から直接受信される通信を、基地局へ再送信し得る。カバレージ内モバイルデバイス１１５−ｃ−１はまた、基地局から受信される通信を、カバレージ外モバイルデバイス１１５−ｃ−２へリレーし得る。１つの構成では、カバレージ内モバイルデバイス１１５−ｃ−１は、カバレージ外モバイルデバイス１１５−ｃ−２から直接受信される通信を、他のカバレージ外モバイルデバイスへ転送し得る。これらの他のカバレージ外モバイルデバイスは、依然として、通信を受信するためにカバレージ内モバイルデバイス１１５−ｃ−１の範囲内にあり得る。カバレージ内モバイルデバイス１１５−ｃ−１はまた、カバレージ外モバイルデバイス１１５−ｃ−２から受信された通信を、他のカバレージ内モバイルデバイスへ再送信し得る。
【００４５】
[0050]図３Ｂは、カバレージ内モバイルデバイス１１５−ｃ−３とカバレージ外モバイルデバイス１１５−ｃ−４との間の通信の別の実施形態を示すメッセージフロー図３５０である。モバイルデバイス１１５−ｃは、図１および／または図２に記載されたモバイルデバイスの例であり得る。
【００４６】
[0051]１つの構成では、カバレージ外モバイルデバイス１１５−ｃ−３は、カバレージ内モバイルデバイス１１５−ｃ−３へ、カバレージ外ステータスインジケータ３５５またはＭＢＭＳクエリをブロードキャストし得る。カバレージ外ステータスインジケータ３５５は、カバレージ外モバイルデバイス１１５−ｃ−４の、ＭＢＭＳトラフィックリレーサービスのための必要性を示してよく、いくつかの場合には、カバレージ外モバイルデバイス１１５−ｃ−４によって必要とされたＭＢＭＳのタイプまたはＭＢＭＳリレーサービスのタイプを示してよい。カバレージ外ステータスインジケータ３５５またはＭＢＭＳクエリは、ＬＴＥダイレクトピア発見チャネルなど、ピア発見チャネルを介して送信され得る。
【００４７】
[0052]カバレージ外ステータスインジケータ３５５を受信すると、ブロック３６０で、カバレージ内モバイルデバイス１１５−ｃ−３は、ＭＢＭＳリレーデバイスとして機能するためのその能力を決定し得る。この決定は、カバレージ内モバイルデバイス１１５−ｃ−３の利用可能なバッテリー電力と、カバレージ外ステータスインジケータ３５５またはＭＢＭＳクエリの信号の強度と、カバレージ内モバイルデバイス１１５−ｃ−３が別のカバレージ外モバイルデバイスにＭＢＭＳリレーサービスをすでに提供中であるか否かと、カバレージ外モバイルデバイス１１５−ｃ−４によって要求されたＭＢＭＳリレーサービスのタイプなどとに基づき得る。カバレージ内モバイルデバイス１１５−ｃ−３が、ＭＢＭＳリレーデバイスとして機能することが可能であるとき、カバレージ内モバイルデバイス１１５−ｃ−３は、カバレージ外モバイルデバイス１１５−ｃ−４へ、ＭＢＭＳリレーサービスを提供するためのその能力を示す信号３６５を送信し得る。ＭＢＭＳリレー能力信号３６５もまた、ピア発見チャネルを介して送信され得る。
【００４８】
[0053]ブロック３７０で、カバレージ外モバイルデバイス１１５−ｃ−４は、カバレージ内モバイルデバイス１１５−ｃ−３をＭＢＭＳリレーデバイスとして使用するべきか否かを決定し得る。カバレージ外モバイルデバイス１１５−ｃ−４が、２つ以上のカバレージ内モバイルデバイスがＭＢＭＳリレーサービスを提供することが可能であることを示す信号を受信する場合、カバレージ外モバイルデバイス１１５−ｃ−４は、ＭＢＭＳリレーサービスを提供するためのカバレージ内モバイルデバイスのうちの１つを選択し得る。いくつかの場合には、この選択は、カバレージ内モバイルデバイスの識別子、各カバレージ内モバイルデバイスのバッテリー残寿命、各カバレージ内モバイルデバイスによってサポートされるＭＢＭＳのタイプ、および／または、各カバレージ内モバイルデバイスがそのためのＭＢＭＳリレーサービスを進んで提供する無線技術などのファクタに基づき得る。これらのファクタの一部または全部が、信号３６５などのピア発見信号から示され、または導出され得る。ファクタの一部はまた、または代替的に、そこからカバレージ外モバイルデバイス１１５−ｃ−４がＭＢＭＳリレー能力信号を受信したカバレージ内モバイルデバイスにクエリすることによって、得られ得る。
【００４９】
[0054]カバレージ外モバイルデバイス１１５−ｃ−４が、カバレージ内モバイルデバイス１１５−ｃ−３からＭＢＭＳリレーサービスを得るように決定する場合、直接ピアツーピア通信３７５が、カバレージ内モバイルデバイス１１５−ｃ−３とカバレージ外モバイルデバイス１１５−ｃ−４との間で確立され得る。
【００５０】
[0055]カバレージ内モバイルデバイス１１５−ｃ−３は、カバレージ外モバイルデバイス１１５−ｃ−４から直接受信される通信を、基地局へ再送信し得る。カバレージ内モバイルデバイス１１５−ｃ−３はまた、基地局から受信される通信を、カバレージ外モバイルデバイス１１５−ｃ−４へリレーし得る。
【００５１】
[0056]図４は、モバイルデバイス１１５−ｄのブロック図４００の一例である。これは、図１、図２、および／または図３のモバイルデバイス１１５であり得る。モバイルデバイス１１５−ｄは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット家電機器、ゲームコンソール、電子リーダーなど、様々な構成のいずれかを有し得る。モバイルデバイス１１５−ｄは、モバイル動作を可能にするために、小型バッテリーなどの内部電源（図示せず）を有し得る。
【００５２】
[0057]モバイルデバイス１１５−ｄは、アンテナ４０５と、トランシーバモジュール４１０と、メモリ４１５と、プロセッサモジュール４２５とを含んでよく、その各々は、（たとえば、１つまたは複数のバスを介して）互いに直接的または間接的に通信していてよい。トランシーバモジュール４１０は、上記で説明されたように、アンテナ４０５ならびに／または１つもしくは複数のワイヤードもしくはワイヤレスリンクを介して、１つまたは複数のネットワークと双方向に通信するように構成され得る。たとえば、トランシーバモジュール４１０は、図１、図２、および／または図３の基地局１０５のうちの１つまたは複数と双方向に通信するように構成され得る。トランシーバモジュール４１０はまた、１つもしくは複数の他のモバイルデバイス１１５のためのリレーとして、または、１つもしくは複数の他のモバイルデバイス１１５からサービスをリレーすることを必要とするデバイスとしてのいずれかで、１つまたは複数の他のモバイルデバイス１１５と通信するようにも構成され得る。トランシーバモジュール４１０は、パケットを変調し、変調されたパケットを送信のためにアンテナ４０５に与え、アンテナ４０５から受信されたパケットを復調するように構成されたモデムを含み得る。モバイルデバイス１１５−ｄは単一のアンテナを含み得るが、モバイルデバイス１１５−ｄは通常、複数のリンクのための複数のアンテナ４０５を含む。
【００５３】
[0058]メモリ４１５は、ランダムアクセスメモリ（ＲＡＭ）と読取り専用メモリ（ＲＯＭ）とを含み得る。メモリ４１５は、実行されるとプロセッサモジュール４２５に様々な機能（たとえば、呼処理、データベース管理、メッセージルーティングなど）を実施させるように構成される命令を含んでいるコンピュータ可読、コンピュータ実行可能ソフトウェアコード４２０を記憶し得る。代替的に、ソフトウェアコード４２０は、プロセッサモジュール４２５によって直接的に実行可能でない場合があるが、（たとえば、コンパイルされ実行されると）モバイルデバイス１１５−ｄに本明細書で説明される機能のうちのいくつかを実施させるように構成され得る。
【００５４】
[0059]プロセッサモジュール４２５は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール４２５は、マイクロフォンを介してオーディオを受信し、そのオーディオを、受信されたオーディオを表す（たとえば、長さ３０ｍｓの）パケットに変換し、そのオーディオパケットをトランシーバモジュール４１０に与え、ユーザが話しているか否かの指示を与えるように構成された音声エンコーダ（図示せず）を含み得る。代替的に、エンコーダはパケットのみをトランシーバモジュール４１０に与えてよく、パケット自体の供給または抑制／抑圧が、ユーザが話しているか否かの指示を与える。
【００５５】
[0060]図４のアーキテクチャによれば、モバイルデバイス１１５−ｄは、通信管理モジュール４３０と、状態モジュール４３５と、ピア発見モジュール４４０とをさらに含み得る。通信管理モジュール４３０は、他のモバイルデバイス１１５との通信を管理し得る。例として、通信管理モジュール４３０は、バスを介してモバイルデバイス１１５−ｄの他の構成要素の一部または全部と通信している、モバイルデバイス１１５−ｄの構成要素であり得る。代替的に、通信管理モジュール４３０の機能は、トランシーバモジュール４１０の構成要素として、コンピュータプログラム製品として、および／または、プロセッサモジュール４２５の１つもしくは複数のコントローラ要素として実装され得る。状態モジュール４３５は、現在のデバイス状態（たとえば、コンテキスト、認証、基地局関連付け、他の接続性問題）を反映および制御し得る。
【００５６】
[0061]ピア発見モジュール４４０は、他のモバイルデバイス１１５に対してモバイルデバイス１１５−ｄを識別し得る。ピア発見モジュール４４０はまた、１）基地局１０５のカバレージエリア外であるモバイルデバイス１１５であり、それらのモバイルデバイス１１５は、モバイルデバイス１１５をＭＢＭＳリレーデバイスとして使用し得る、および／または２）モバイルデバイス１１５−ｄが基地局１０５のカバレージエリア外であるとき、モバイルデバイス１１５−ｄにサービスをリレーすることを提供することが可能であり得る、カバレージ内モバイルデバイス１１５など、他のモバイルデバイス１１５を識別し得る。
【００５７】
[0062]ピア発見モジュール４４０は、ステータスモジュール４４５、ＭＢＭＳ管理モジュール４５０、および／または検知モジュール４５５を含み得る。ステータスモジュール４４５は、モバイルデバイス１１５−ｄがＭＢＭＳリレーデバイスとして機能することと、リレーサービスを提供することとが可能であるか否かを決定し得る。ステータスモジュール４４５はまた、いつモバイルデバイス１１５−ｄがＭＢＭＳリレーステータスに（または、ＭＢＭＳリレーステータスから）移行するかを決定し得る。たとえば、ステータスモジュール４４５は、モバイルデバイス１１５−ｄの利用可能な電力または帯域幅、モバイルデバイス１１５−ｄがＬＴＥダイレクト、Ｗｉ−Ｆｉダイレクト、Ｗｉ−Ｆｉアドホック、ブルートゥース、および／または他の能力などを所有するか否か、を分析し得る。モバイルデバイス１１５−ｄがリレーサービスを提供することが可能であると決定すると、ステータスモジュール４４５は、モバイルデバイス１１５−ｄのステータスをＭＢＭＳリレーステータスに移行させ得る。モバイルデバイス１１５−ｄは、次いで、ＭＢＭＳリレーデバイスとして機能するためのモバイルデバイス１１５−ｄの能力を示す、ピア発見信号２０５をブロードキャストし得る。カバレージ外モバイルデバイス１１５は、ブロードキャスト信号を受信し、モバイルデバイス１１５−ｄをＭＢＭＳリレーデバイスとして使用するべきか否かを決定し得る。
【００５８】
[0063]１つの構成では、ＭＢＭＳ管理モジュール４５０は、少なくとも１つのＭＢＭＳについての、セルラーネットワークから受信されたサービス告知情報を分析し得る。モジュール４５０は、サービス告知情報の少なくともサブセットを識別し得る。ＭＢＭＳサービス告知情報の識別されたサブセットは、ピア発見信号を使用して、１つまたは複数のカバレージ外モバイルデバイスへブロードキャストされ得る。モバイルデバイス１１５−ｄは、１つまたは複数のカバレージ外モバイルデバイスへ、ＭＢＭＳのコンテンツをリレーし得る。
【００５９】
[0064]検知モジュール４５５は、モバイルデバイス１１５−ｄが基地局１０５の範囲外になろうとしているときを検知し得る。検知モジュール４５５はまた、モバイルデバイス１１５−ｄがすでに基地局１０５の範囲外であるときを決定し得る。モバイルデバイス１１５−ｄが基地局１０５のカバレージエリア外に移行しようとしている（または、すでにカバレージエリア外に移行している）ことを検知すると、モバイルデバイス１１５−ｄは、リレーサービスを要求するために、ピア発見信号２０５をブロードキャストし得る。依然として基地局１０５のカバレージエリア内にある１つまたは複数のモバイルデバイスは、ブロードキャストを受信し、リレーサービスを提供するべきか否かを決定し得る。
【００６０】
[0065]リレーサービス取得モジュール４６５は、モバイルデバイス１１５−ｄにＭＢＭＳリレーサービスを提供することが可能な少なくとも１つのＭＢＭＳリレーデバイスの各々から、ピア発見信号を受信し得る。リレーサービス取得モジュール４６５は、次いで、少なくとも１つのＭＢＭＳリレーデバイスのうちのどれが、モバイルデバイス１１５−ｄのためにＭＢＭＳリレーサービスを提供するために使用されるべきであるかを、直接リンク管理モジュール４６０に示し得る。いくつかの場合には、モジュール４６５は、そのためのピア発見信号が受信される第１のＭＢＭＳリレーデバイスを、ＭＢＭＳリレーサービスを提供するためのＭＢＭＳリレーデバイスとして識別し得る。他の場合には、モジュール４６５は、ＭＢＭＳリレーデバイスがＭＢＭＳリレーサービスを提供するために受け入れ可能であるか否かを決定するために、１つまたは複数のファクタを分析し得る。たとえば、モジュール４６５は、候補ＭＢＭＳリレーデバイスとの通信の信号強度がしきい値を超えるか否かを決定し得る。さらに他の場合には、モジュール４６５は、候補ＭＢＭＳリレーデバイスのうちのどれがＭＢＭＳリレーサービスを最良に提供することができるかを決定するために、候補ＭＢＭＳリレーデバイスにおいて比較分析を実施し得る。たとえば、モジュール４６５は、最良の信号強度を識別するために、候補ＭＢＭＳリレーデバイスの各々との通信の信号強度を比較し得る。
【００６１】
[0066]モバイルデバイス１１５−ｄの構成要素は、ハードウェアにおいて適用可能な機能の一部または全部を実施するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。言及されたモジュールの各々は、モバイルデバイス１１５−ｄの動作に関係する１つまたは複数の機能を実施するための手段であり得る。
【００６２】
[0067]図５は、ピア発見モジュール４４０−ａおよび通信管理モジュール４３０−ａの一例のブロック図５００である。いくつかの実施形態では、ピア発見モジュール４４０−ａおよび通信管理モジュール４３０−ａは、図４を参照しながら説明されたピア発見モジュール４４０および通信管理モジュール４３０の１つまたは複数の態様の例であり得る。
【００６３】
[0068]ピア発見モジュール４４０−ａは、ＭＢＭＳ管理モジュール４５０−ａ、ステータスモジュール４４５−ａ、および／またはピア発見信号生成モジュール５１５を含み得る。これらの構成要素の各々は、互いに通信中であり得る。いくつかの実施形態では、ＭＢＭＳ管理モジュール４５０−ａおよび／またはステータスモジュール４４５−ａは、図４を参照しながら説明されたそれぞれのＭＢＭＳ管理モジュール４５０および／またはステータスモジュール４４５の１つまたは複数の態様の例であり得る。
【００６４】
[0069]ピア発見モジュール４４０−ａおよび通信管理モジュール４３０−ａの構成要素は、ハードウェアにおいて適用可能な機能の一部または全部を実施するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００６５】
[0070]ＭＢＭＳ管理モジュール４５０−ａは、サービス告知分析モジュール５０５および／またはサービス告知選択モジュール５１０を含み得る。サービス告知分析モジュール５０５−ａは、たとえば、少なくとも１つのＭＢＭＳの様々なパラメータを決定するために、少なくとも１つのＭＢＭＳについて受信されたＭＢＭＳサービス告知情報を分析し得る。ＭＢＭＳのためのパラメータは、たとえば、ＭＢＭＳのアイデンティティと、どのようにＭＢＭＳのメンバーになるべきかの情報とを示す、パラメータを含み得る。例示的なパラメータはまた、または代替的に、ＩＰマルチキャストアドレス、ソースＩＰアドレス、サービスタイプ、サービススケジュール（たとえば、開始および／もしくは停止時間）、ビットレート、ならびに／またはレイテンシ要件を含み得る。
【００６６】
[0071]サービス告知選択モジュール５１０は、カバレージ外モバイルデバイス１１５へのブロードキャストのために、少なくとも１つのＭＢＭＳの受信されたパラメータのうちの１つまたは複数を識別または選択し得る。選択されたパラメータは、受信されたサービス告知情報のサブセット（たとえば、部分的または選択されたサービス告知情報）を定義し得、そのサブセットは、限定された量の情報を搬送することが可能なピア発見信号を介したブロードキャストに適している。
【００６７】
[0072]ステータスモジュール４４５−ａは、モバイルデバイス１１５がＭＢＭＳリレーデバイスとして機能することと、少なくとも１つのＭＢＭＳのためのリレーサービスを提供することとが可能であるか否かを決定し得る。ステータスモジュール４４５−ａはまた、いつモバイルデバイス１１５がＭＢＭＳリレーステータスに（または、ＭＢＭＳリレーステータスから）移行するかを決定し得る。いくつかの場合には、ステータスモジュール４４５−ａは、モバイルデバイス１１５の利用可能な動作電力がしきい値を超えるか否かを決定し得る。いくつかの場合には、ステータスモジュール４４５−ａは、モバイルデバイス１１５の利用可能な動作電力が動作電力しきい値を超えると決定すると、モバイルデバイス１１５をＭＢＭＳリレーステータスに移行させ得る。さもなければ、モバイルデバイス１１５は、非リレーステータスにおいて維持され得る。このようにして、ステータスモジュール４４５−ａは、たとえば、モバイルデバイス１１５がそれ自体の機能ならびにリレーサービスを提供するために十分な動作電力を有するか否かを決定し得る。
【００６８】
[0073]ステータスモジュール４４５−ａはまた、モバイルデバイス１１５の利用可能な送信帯域幅がしきい値を超えるか否かを決定し得る。いくつかの場合には、ステータスモジュール４４５−ａは、モバイルデバイス１１５の利用可能な帯域幅が利用可能帯域幅しきい値を超えると決定すると、モバイルデバイス１１５をＭＢＭＳリレーステータスに移行させ得る。さもなければ、モバイルデバイス１１５は、非リレーステータスにおいて維持され得る。このようにして、ステータスモジュール４４５−ａは、たとえば、モバイルデバイス１１５がそれ自体の機能ならびにリレーサービスをサービスするために十分な帯域幅を有することを保証し得る。
【００６９】
[0074]ステータスモジュール４４５−ａは、基地局１０５のカバレージエリアの外側で動作する少なくとも１つのモバイルデバイス１１５から（すなわち、少なくとも１つのカバレージ外モバイルデバイス１１５から）情報を受信し得る。いくつかの場合には、この情報は、少なくとも１つのカバレージ外モバイルデバイス１１５によってブロードキャストされた１つまたは複数のピア発見信号において受信され得る。この情報は、たとえば、各カバレージ外モバイルデバイス１１５のアイデンティティ、および／またはリンク品質推定値（たとえば、少なくとも１つのカバレージ外モバイルデバイス１１５と通信するために必要とされる１つまたは複数のリンクの品質の推定値）を含み得る。
【００７０】
[0075]いくつかの場合には、ＭＢＭＳリレーステータスに移行するべきか否かに関する決定はまた、または代替的に、ＭＢＭＳリレーステータスへの移行を検討するデバイスに近接しているカバレージ外モバイルデバイス１１５の数、受信または決定されたリンク品質推定値、ならびに／あるいは、少なくとも１つのＭＢＭＳの存在および／または特定のＭＢＭＳもしくは特定のタイプのＭＢＭＳの存在など、１つまたは複数のパラメータまたは状態に基づき得る。典型的に、ステータスモジュール４４５−ａは、リレーサービスのためのリソースを割り振る前に、そのデバイスのコア機能またはミッション機能のためのリソースを割り振るようにプログラムされ得る。ただし、いくつかの場合には、デバイスのコア機能またはミッション機能は、リレーサービスを含んでよく、その場合、より高い優先度が、リレーサービスのためのリソースを割り振ることに与えられ得る。
【００７１】
[0076]いくつかの場合には、リンク品質推定値が、ステータスモジュール４４５−ａによって、期待される送信の期待されるピアツーピア（すなわち、デバイス間）ブロードキャストまたはユニキャストデータレートを導出するために使用され得る。期待されるデータレートは、ＭＢＭＳリレーステータスに移行するべきか否かを決定するとき、ステータスモジュール４４５−ａによって考慮に入れられ得る。
【００７２】
[0077]ステータスモジュール４４５−ａは、少なくとも１つのＭＢＭＳの１つまたは複数の識別されたパラメータに基づいて、ＭＢＭＳリレーステータスに移行するか、または少なくとも１つのＭＢＭＳのためのリレーサービスを提供するべきか否かをさらに決定し得る。たとえば、ステータスモジュール４４５−ａは、ＭＢＭＳのサービス品質（ＱｏＳ）要件（たとえば、レイテンシ要件）を識別し、それがＱｏＳ要件を満たすために十分な利用可能な帯域幅を有するか否かを決定し得る。さらなる例として、ステータスモジュール４４５−ａはまた、（または代替的に）ＭＢＭＳのためのサービススケジュールを識別し、それがＭＢＭＳのサービススケジュールを満足することができるか否かを決定し得る。いくつかの場合には、ステータスモジュール４４５−ａは、そのデバイスがＭＢＭＳの要件を遂行することができないので、１つまたは複数のＭＢＭＳのためのリレーサービスを提供することができないと決定し得る（たとえば、高品質ＭＰ４ビデオストリーミングＭＢＭＳのデータレートが、リンクの最大ピアツーピアブロードキャストまたはユニキャストデータレートを超える場合、ステータスモジュール４４５−ａは、１）ＭＢＭＳリレーステータスに移行しないこと、または２）特定のＭＢＭＳのためのリレーサービスを提供しないことを決定し得る）。
【００７３】
[0078]ステータスモジュール４４５−ａは、いくつかの場合には、リレーサービスを提供するための能力を決定するとき、追加または代替的なファクタを分析し得る。たとえば、ステータスモジュール４４５−ａは、モバイルデバイス１１５がＬＴＥダイレクト能力を所有するか否かを決定し得る。
【００７４】
[0079]いくつかの実施形態では、ステータスモジュール４４５−ａは、周期的に、またはトリガリングイベント時に、モバイルデバイス１１５をＭＢＭＳリレーステータスに移行させるべきか否かを決定し得る。いくつかの場合には、トリガリングイベントは、モバイルデバイス１１５による、ＭＢＭＳサービス告知情報、またはカバレージ外モバイルデバイス１１５によってブロードキャストされたカバレージ外ステータスインジケータもしくはＭＢＭＳクエリの受信であり得る。そのような情報または信号を受信すると、ステータスモジュール４４５−ａは、そのデバイスがＭＢＭＳリレーステータスに移行し、ＭＢＭＳリレーサービスを提供することができるか否かを決定し得る。
【００７５】
[0080]ステータスモジュール４４５−ａがデバイスをＭＢＭＳリレーステータスに移行させる場合には、ピア発見信号生成モジュール５１５は、ブロードキャストデバイスのアイデンティティを示し、ブロードキャスティングデバイスのＭＢＭＳリレーステータス（すなわち、ＭＢＭＳリレーデバイスとして機能するためのモバイルデバイス１１５の能力）を示し、受信されたＭＢＭＳサービス告知情報の少なくともサブセットを含む、ピア発見信号をブロードキャストし得る。カバレージ外モバイルデバイス１１５は、ピア発見信号を受信し、ブロードキャスティングデバイスをＭＢＭＳリレーデバイスとして使用するべきか否かを決定し得る。
【００７６】
[0081]通信管理モジュール４３０−ａの直接リンク管理モジュール４６０−ａは、ＭＢＭＳリレーサービスを必要とするモバイルデバイス１１５（すなわち、少なくとも１つの他のモバイルデバイス１１５）との直接リンク（たとえば、ピアツーピアリンク）の確立を容易にし得る。その後、それにおいてピア発見モジュール４４０−ａおよび通信管理モジュール４３０−ａが実装されるモバイルデバイス１１５は、基地局１０５から、ＭＢＭＳリレーサービスを必要とするモバイルデバイス１１５へ、少なくとも１つのＭＢＭＳ送信（たとえば、少なくとも１つのマルチキャストストリーム）を受信および再送信し得る。
【００７７】
[0082]図６は、ピア発見モジュール４４０−ｂの一例のブロック図６００である。いくつかの実施形態では、ピア発見モジュール４４０−ｂは、図４および／または図５を参照しながら説明されたピア発見モジュール４４０の１つまたは複数の態様の一例であり得る。ピア発見モジュール４４０−ｂは、ＭＢＭＳ管理モジュール４５０−ｂ、ステータスモジュール４４５−ｂ、および／またはピア発見信号生成モジュール５１５−ａを含み得る。これらの構成要素の各々は、互いに通信中であり得る。いくつかの実施形態では、モジュール４５０−ｂ、４４５−ｂ、５１５−ａの各々は、図４および／または図５を参照しながら説明され同様に名前が付けられたモジュールの１つまたは複数の態様の一例であり得る。
【００７８】
[0083]ピア発見モジュール４４０−ｂの構成要素は、ハードウェアにおいて適用可能な機能の一部または全部を実施するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７９】
[0084]図６は、ピア発見モジュール４４０−ｂが、複数のＭＢＭＳのためのコンテンツ（たとえば、ＭＢＭＳストリームＡ〜Ｎ）を受信するが、それらのストリームのうちの選択された１つまたは複数（たとえば、ＭＢＭＳストリームＢ）のみをリレーし得ることを示す。ストリームは、選択された１つまたは複数のＭＢＭＳに関連付けられたコンテンツを受信することを所望する、少なくとも１つのカバレージ外モバイルデバイス１１５の受信された１つまたは複数の要求に基づいて、リレーするために選択され得る。
【００８０】
[0085]図７は、ピア発見モジュール４４０−ｃおよび通信管理モジュール４３０−ｂの一例のブロック図７００である。いくつかの実施形態では、ピア発見モジュール４４０−ｃおよび通信管理モジュール４３０−ｂは、図４を参照しながら説明されたピア発見モジュール４４０および通信管理モジュール４３０の１つまたは複数の態様の例であり得る。ピア発見モジュール４４０−ｃは、ＭＢＭＳ管理モジュール４５０−ｃ、検知モジュール４５５−ｃ、ピア発見信号生成モジュール５１５−ｂ、および／またはリレーサービス取得モジュール４６５−ａを含み得る。これらの構成要素の各々は、互いに通信中であり得る。いくつかの実施形態では、モジュール４５０−ｃ、４４５−ｃ、５１５−ｂ、４６５−ａの各々は、図４、図５、および／または図６を参照しながら説明され同様に名前が付けられたモジュールの１つまたは複数の態様の一例であり得る。
【００８１】
[0086]ピア発見モジュール４４０−ｃおよび通信管理モジュール４３０−ｂの構成要素は、ハードウェアにおいて適用可能な機能の一部または全部を実施するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００８２】
[0087]図７は、ピア発見モジュール４４０−ｃが、カバレージ外モバイルデバイス１１５中に存在するとき、いくつかのカバレージ内モバイルデバイスによって送られたいくつかのピア発見信号から、複数のＭＢＭＳ（たとえば、ＭＢＭＳストリームＡ〜Ｎ）についてのＭＢＭＳサービス告知情報のサブセットを受信し得ることを示す。サービス告知情報のサブセットは、ＭＢＭＳ管理モジュール４５０−ｃによって受信され、サービス告知分析モジュール５０５−ａによって分析され得る。たとえば、サービス告知情報は、特定のＭＢＭＳが、サービス告知情報を送信したデバイスから利用可能であるか否かを決定するために、分析され得る。それにおいてサービス告知情報のサブセットが受信されるピア発見信号もまた、分析され得る。たとえば、ピア発見信号の強度は、（たとえば、ピア発見信号の信号強度がしきい値を超えること、および／または、ピア発見信号が、特定のＭＢＭＳに関連付けられた受信されたピア発見信号のうちの最強のものであることに基づいて）いくつかの候補ＭＢＭＳリレーデバイスのうちのどれがＭＢＭＳを最良に提供することができるかを決定するために、分析され得る。サービス告知選択モジュール５１０−ａは、次いで、各カバレージ内モバイルデバイスから受信されたピア発見信号中に含まれる部分または完全サービス告知情報に基づいて、ＭＢＭＳを選択し、そのＭＢＭＳを最良に提供することができるＭＢＭＳリレーデバイスを選択し得る。ピア発見信号生成モジュール５１５−ｂは、選択されたＭＢＭＳに加入するための要求を送信し得る。いくつかの場合には、この要求は、ピア発見信号において送信されてよく、そのためにカバレージ外モバイルデバイス１１５がＭＢＭＳリレーサービスを要求中であるＭＢＭＳの明示的な情報を含み得る。
【００８３】
[0088]リレーサービス取得モジュール４６５−ａは、それにおいてモジュール４４０−ｃ、４３０−ｂが位置するモバイルデバイスに、ＭＢＭＳリレーサービスを提供することが可能な、少なくとも１つのＭＢＭＳリレーデバイスの各々から、ピア発見信号を受信し得る。リレーサービス取得モジュール４６５−ａは、次いで、少なくとも１つのＭＢＭＳリレーデバイスのうちのどれが、それにおいてモジュール４４０−ｃ、４３０−ｂが位置するモバイルデバイスのために、ＭＢＭＳリレーサービスを提供するために使用されるべきであるかを、直接リンク管理モジュール４６０−ｂに示し得る。いくつかの場合には、モジュール４６５−ａは、そのためのピア発見信号が受信される第１のＭＢＭＳリレーデバイスを、ＭＢＭＳリレーサービスを提供するためのＭＢＭＳリレーデバイスとして識別し得る。他の場合には、モジュール４６５−ａは、ＭＢＭＳリレーデバイスがＭＢＭＳリレーサービスを提供するために受け入れ可能であるか否かを決定するために、１つまたは複数のファクタを分析し得る。たとえば、モジュール４６５−ａは、候補ＭＢＭＳリレーデバイスとの通信の信号強度がしきい値を超えるか否かを決定し得る。さらに他の場合には、モジュール４６５−ａは、候補ＭＢＭＳリレーデバイスのうちのどれがＭＢＭＳリレーサービスを最良に提供することができるかを決定するために、候補ＭＢＭＳリレーデバイスにおいて比較分析を実施し得る。たとえば、モジュール４６５−ａは、最良の信号強度を識別するために、候補ＭＢＭＳリレーデバイスの各々との通信の信号強度を比較し得る。
【００８４】
[0089]図８は、ＭＢＭＳを管理するための方法８００の一実施形態を示すフローチャートである。明快のために、方法８００について、図１、図２、図３、および／もしくは図４を参照しながら説明されたモバイルデバイス１１５のうちの１つもしくは複数、ならびに／または、図４、図５、図６、および／もしくは図７を参照しながら説明されたピア発見モジュール４４０の態様を参照しながら、以下で説明される。いくつかの実装形態では、ピア発見モジュール４４０は、以下で説明される機能を実施するようにモバイルデバイス１１５の機能要素を制御するためのコードの１つまたは複数のセットを実行し得る。
【００８５】
[0090]ブロック８０５で、サービス告知情報が、少なくとも１つのＭＢＭＳについて受信され得る。サービス告知情報は、いくつかの場合にはモバイルデバイス１１５であり得る、デバイスまたはＵＥにおいて受信され得る。いくつかの実施形態では、サービス告知情報は、図４、図５、図６、および／または図７を参照しながら説明されたピア発見モジュール４４０および／またはＭＢＭＳ管理モジュール４５０を使用して、受信され得る。
【００８６】
[0091]ブロック８１０で、サービス告知情報の少なくともサブセットが、ピア発見信号において（たとえば、ブロック８０５でそれが受信されるところのデバイスまたはＵＥから）ブロードキャストされ得る。いくつかの実施形態では、ピア発見信号は、図４、図５、図６、および／もしくは図７を参照しながら説明されたピア発見モジュール４４０、ならびに／または、図５、図６、および／もしくは図７を参照しながら説明されたピア発見信号生成モジュール５１５を使用して、ブロードキャストされ得る。
【００８７】
[0092]ブロック８１５で、少なくとも１つのＭＢＭＳのコンテンツが、（たとえば、デバイスまたはＵＥから）基地局のカバレージエリアの外側で動作する少なくとも１つのモバイルデバイス１１５へリレーされ得る。いくつかの実施形態では、コンテンツは、図４、図５、図６、および／または図７を参照しながら説明された通信管理モジュール４３０および／または直接リンク管理モジュール４６０を使用して、リレーされ得る。
【００８８】
[0093]したがって、方法８００は、ＭＢＭＳを管理するために使用され得る。方法８００は一実装形態にすぎず、方法８００の動作は、他の実装形態が可能であるように再構成またはさもなければ修正されてよいことに留意されたい。
【００８９】
[0094]図９は、ＭＢＭＳを管理するための方法９００の別の実施形態を示すフローチャートである。明快のために、方法９００について、図１、図２、図３、および／もしくは図４を参照しながら説明されたモバイルデバイス１１５のうちの１つもしくは複数、ならびに／または、図４、図５、図６、および／もしくは図７を参照しながら説明されたピア発見モジュール４４０の態様を参照しながら、以下で説明される。いくつかの実装形態では、ピア発見モジュール４４０は、以下で説明される機能を実施するようにモバイルデバイス１１５の機能要素を制御するためのコードの１つまたは複数のセットを実行し得る。
【００９０】
[0095]ブロック９０５で、情報が、基地局１０５のカバレージエリアの外側で動作する少なくとも１つのモバイルデバイス１１５から（すなわち、少なくとも１つのカバレージ外モバイルデバイス１１５から）受信され得る。この情報は、いくつかの場合にはモバイルデバイス１１５であり得る、デバイスまたはＵＥにおいて受信され得る。いくつかの場合には、この情報は、少なくとも１つのカバレージ外モバイルデバイス１１５によってブロードキャストされた１つまたは複数のピア発見信号において受信され得る。ピア発見信号は、周期的に、または１つもしくは複数のイベントの発生時に（たとえば、モバイルデバイス１１５が基地局１０５のカバレージエリアを離れるとき、または、モバイルデバイス１１５がカバレージを失おうとしている可能性があると決定するとき）、ブロードキャストされ得る。この情報は、たとえば、各カバレージ外モバイルデバイス１１５のアイデンティティ、および／またはリンク品質推定値（たとえば、少なくとも１つのカバレージ外モバイルデバイス１１５と通信するために必要とされる１つまたは複数のリンクの品質の推定値）を含み得る。
【００９１】
[0096]少なくとも１つのカバレージ外モバイルデバイス１１５から情報を受信するデバイスは、基地局１０５のカバレージエリア内で動作してよく、または、１つまたは複数のＭＢＭＳリレーデバイスと通信中であってよく、そのうちの少なくとも１つは、基地局１０５のカバレージエリア内で動作する。いくつかの実施形態では、基地局１０５のカバレージエリアの外側で動作する少なくとも１つのモバイルデバイス１１５から受信される情報は、図４、図５、図６、および／もしくは図７を参照しながら説明されたピア発見モジュール４４０および／またはステータスモジュール４４５を使用して、受信され得る。
【００９２】
[0097]ブロック９１０で、サービス告知情報が、少なくとも１つのＭＢＭＳについて受信され得る。サービス告知情報は、基地局１０５から受信されてよく、いくつかの場合には、１つまたは複数のＭＢＭＳリレーデバイスを介して受信され得る。いくつかの実施形態では、サービス告知情報は、図４、図５、図６、および／または図７を参照しながら説明されたピア発見モジュール４４０および／またはＭＢＭＳ管理モジュール４５０を使用して、受信され得る。
【００９３】
[0098]受信されたサービス告知情報は、少なくとも１つのＭＢＭＳの１つまたは複数のパラメータを含み得る。ＭＢＭＳのためのパラメータは、たとえば、ＭＢＭＳのアイデンティティと、どのようにＭＢＭＳのメンバーになるべきかの情報とを示す、パラメータを含み得る。例示的なパラメータはまた、または代替的に、ＩＰマルチキャストアドレス、ソースＩＰアドレス、サービスタイプ、サービススケジュール（たとえば、開始および／もしくは停止時間）、ビットレート、ならびに／またはレイテンシ要件を含み得る。
【００９４】
[0099]ブロック９１５で、ＭＢＭＳリレーステータスに移行するべきか否かに関する決定が行われ得る。ＭＢＭＳリレーステータスは、ＭＢＭＳリレーデバイスとして機能し、少なくとも１つのＭＢＭＳのコンテンツをリレーするための、デバイスの能力を示し得る。
【００９５】
[0100]いくつかの場合には、ＭＢＭＳリレーステータスに移行するべきか否かに関する決定は、ＭＢＭＳリレーステータスへの移行を検討するデバイスに近接しているカバレージ外モバイルデバイス１１５の数、受信または決定されたリンク品質推定値、少なくとも１つのＭＢＭＳの存在および／または特定のＭＢＭＳもしくは特定のタイプのＭＢＭＳの存在、ならびに／あるいは、それについてのサービス告知情報が受信されるＭＢＭＳの一部または全部のためのデータをリレーするための、デバイスの能力など、１つまたは複数のパラメータまたは状態に基づき得る。ＭＢＭＳの一部または全部をリレーするためのデバイスの能力は、たとえば、デバイスの利用可能な動作電力、デバイスの利用可能な帯域幅、および／または他のファクタに基づき得る。典型的に、デバイスは、リレーサービスのためのリソースを割り振る前に、そのコア機能またはミッション機能のためのリソースを割り振るようにプログラムされ得る。ただし、いくつかの場合には、デバイスのコア機能またはミッション機能は、リレーサービスを含んでよく、その場合、より高い優先度が、リレーサービスのためのリソースを割り振ることに与えられ得る。
【００９６】
[0101]いくつかの場合には、リンク品質推定値が、候補ＭＢＭＳリレーデバイスまたは少なくとも１つのカバレージ外モバイルデバイスによって行われることが期待される送信の、期待されるピアツーピア（すなわち、デバイス間）ブロードキャストまたはユニキャストデータレートを導出するために使用され得る。期待されるデータレートは、ＭＢＭＳリレーステータスに移行するべきか否かを決定するとき、考慮に入れられ得る。
【００９７】
[0102]デバイスは、少なくとも１つのＭＢＭＳの１つまたは複数の識別されたパラメータに基づいて、ＭＢＭＳリレーステータスに移行するか、または少なくとも１つのＭＢＭＳのためのリレーサービスを提供するべきか否かをさらに決定し得る。たとえば、デバイスは、ＭＢＭＳのサービス品質（ＱｏＳ）要件（たとえば、レイテンシ要件）を識別し、それがＱｏＳ要件を満たすために十分な利用可能な帯域幅を有するか否かを決定し得る。さらなる例として、デバイスはまた、（または代替的に）ＭＢＭＳのためのサービススケジュールを識別し、それがＭＢＭＳのサービススケジュールを満足することができるか否かを決定し得る。いくつかの場合には、デバイスは、それがＭＢＭＳの要件を遂行することができないので、１つまたは複数のＭＢＭＳのためのリレーサービスを提供することができないと決定し得る（たとえば、高品質ＭＰ４ビデオストリーミングＭＢＭＳのデータレートが、リンクの最大ピアツーピアブロードキャストまたはユニキャストデータレートを超える場合、デバイスは、１）ＭＢＭＳリレーステータスに移行しないこと、または２）特定のＭＢＭＳのためのリレーサービスを提供しないことを決定し得る）。
【００９８】
[0103]いくつかの実施形態では、ＭＢＭＳリレーステータスに移行するための決定は、図４、図５、図６、および／または図７を参照しながら説明されたピア発見モジュール４４０および／またはステータスモジュール４４５を使用して行われ得る。
【００９９】
[0104]ブロック９２０で、サービス告知情報の少なくともサブセットが、ピア発見信号においてブロードキャストされ得る。いくつかの場合には、サービス告知情報の少なくともサブセットは、特定のＭＢＭＳのためのデータをリレーするためのデバイスの能力に基づいて選択され得る。デバイスの識別情報（たとえば、ＭＢＭＳのためのＭＢＭＳリレーデバイスとして機能することが可能なデバイスを識別する情報）、および／またはＭＢＭＳリレーステータスもまた、ピア発見信号においてブロードキャストされ得る。いくつかの場合には、すべての受信されたサービス告知情報をブロードキャストすることが実現可能であり得るが、ピア発見信号においてブロードキャストされ得る情報の量は、限定され得る。これらの場合には、受信されたサービス告知情報の一部（すなわち、部分的なまたは選択されたサービス告知情報）のみがブロードキャストされ得る。たとえば、受信されたサービス告知情報のいくつかのパラメータのみがブロードキャストされ得る。カバレージ外モバイルデバイス１１５は、次いで、必要とされるとき、残りのサービス告知情報を要求し得る。
【０１００】
[0105]いくつかの場合には、ＭＢＭＳサービス告知情報が受信されたという告知のみが、ピア発見信号においてブロードキャストされ得る。カバレージ外モバイルデバイス１１５は、次いで、関与する場合、ＭＢＭＳサービス告知情報を要求し得る。カバレージ外モバイルデバイス１１５は、特定のＭＢＭＳリレーデバイスへ要求を送信することによって、または、サービス告知情報を有し得るすべてのＭＢＭＳリレーデバイスへ要求をブロードキャストすることによって、ＭＢＭＳサービス告知情報を要求し得る。
【０１０１】
[0106]いくつかの実施形態では、ピア発見信号は、図４、図５、図６、および／もしくは図７を参照しながら説明されたピア発見モジュール４４０、ならびに／または、図５、図６、および／もしくは図７を参照しながら説明されたピア発見信号生成モジュール５１５を使用して、ブロードキャストされ得る。
【０１０２】
[0107]ブロック９２５で、サービスをリレーするための要求が、別のモバイルデバイス１１５から（たとえば、基地局１０５のカバレージエリアの外側で動作する少なくとも１つのモバイルデバイス１１５のうちの１つから）受信され得る。いくつかの実施形態では、この要求は、図４、図５、図６、および／または図７を参照しながら説明されたピア発見モジュール４４０を使用して、受信され得る。
【０１０３】
[0108]ブロック９３０で、直接リンク（たとえば、ピアツーピアリンク）が、少なくとも１つのカバレージ外モバイルデバイス１１５のうちの１つまたは複数と、確立され得る。いくつかの場合には、直接リンクは、ポイントツーポイントリンクであり得る。他の場合には、直接リンクは、ポイントツーマルチポイントリンクの一部であり得る。いくつかの実施形態では、直接リンクは、図４、図５、図６、および／または図７を参照しながら説明された通信管理モジュール４３０および／または直接リンク管理モジュール４６０を使用して、確立され得る。
【０１０４】
[0109]ブロック９３５で、少なくとも１つのＭＢＭＳのコンテンツが基地局１０５によって送達されることになるという通知が、（たとえば、方法９００を実施するデバイスにおいて）受信され得る。
【０１０５】
[0110]ブロック９４０で、および、少なくとも１つのＭＢＭＳのコンテンツが送達されることになるという通知を受信すると、通知が、その少なくとも１つのＭＢＭＳを要求した少なくともカバレージ外モバイルデバイス１１５へ送信され得る。
【０１０６】
[0111]ブロック９４５で、少なくとも１つのＭＢＭＳのコンテンツが、（たとえば、方法９００を実施するデバイスにおいて）受信され得る。このコンテンツは、少なくとも１つのＭＢＭＳの少なくとも１つのマルチキャストストリームを含み得る。
【０１０７】
[0112]ブロック９５０で、少なくとも１つのＭＢＭＳの受信されたコンテンツが、その少なくとも１つのＭＢＭＳを要求したカバレージ外モバイルデバイスへリレーされ得る。リレーすることは、たとえば、カバレージ外モバイルデバイスへ、少なくとも１つのＭＢＭＳの少なくとも１つのマルチキャストストリームを再送信することを含み得る。いくつかの場合には、コンテンツは、ブロック９３０で確立された直接リンクを介して（たとえば、１つまたは複数のポイントツーポイントリンクおよび／またはポイントツーマルチポイントリンクを介して）、リレーされ得る。いくつかの実施形態では、コンテンツは、図４を参照しながら説明されたピア発見モジュール４４０および／または直接リンク管理モジュール４６０を使用して、リレーされ得る。
【０１０８】
[0113]したがって、方法９００は、ＭＢＭＳを管理するために使用され得る。方法９００は一実装形態にすぎず、方法９００の動作は、他の実装形態が可能であるように再構成またはさもなければ修正されてよいことに留意されたい。
【０１０９】
[0114]図１０は、ＭＢＭＳを管理するための方法１０００の一実施形態を示すフローチャートである。明快のために、方法１０００について、図１、図２、図３、および／もしくは図４を参照しながら説明されたモバイルデバイス１１５のうちの１つもしくは複数、ならびに／または、図４、図５、図６、および／もしくは図７を参照しながら説明されたピア発見モジュール４４０の態様を参照しながら、以下で説明される。いくつかの実装形態では、ピア発見モジュール４４０は、以下で説明される機能を実施するようにモバイルデバイス１１５の機能要素を制御するためのコードの１つまたは複数のセットを実行し得る。
【０１１０】
[0115]ブロック１００５で、カバレージ外ステータスインジケータまたはＭＢＭＳクエリ（たとえば、ＭＢＭＳコンテンツをリレーするための要求）が、第１のピア発見信号においてブロードキャストされ得る。カバレージ外ステータスインジケータまたはＭＢＭＳクエリは、いくつかの場合には、モバイルデバイス１１５によってブロードキャストされてよく、モバイルデバイス１１５の、基地局１０５へ／からのリレーサービスのための必要性、および／または、モバイルデバイス１１５の、少なくとも１つのＭＢＭＳを受信（もしくは維持）するための希望を示し得る。いくつかの実施形態では、この信号は、図４、図５、図６、および／もしくは図７を参照しながら説明されたピア発見モジュール４４０、ならびに／または、図５、図６、および／もしくは図７を参照しながら説明されたピア発見信号生成モジュール５１５を使用して、ブロードキャストされ得る。
【０１１１】
[0116]ブロック１０１０で、第２のピア発見信号が、少なくとも１つのＭＢＭＳリレーデバイスから受信され得る。第２のピア発見信号は、少なくとも１つのＭＢＭＳについてのサービス告知情報の少なくともサブセットを含み得る。第２のピア発見信号はまた、ＭＢＭＳリレーデバイスとして機能するための、少なくとも１つの他のモバイルデバイス１１５の能力を示し得る（たとえば、ピア発見信号が、少なくとも１つの他のモバイルデバイス１１５の各々から受信されてよく、各ピア発見信号は、少なくとも１つの他のモバイルデバイス１１５のうちのそれぞれ１つがＭＢＭＳリレーデバイスとして機能することが可能であるか否かを示し得る）。
【０１１２】
[0117]いくつかの場合には、モバイルデバイス１１５は、基地局１０５のカバレージエリアの外側で動作してよく、少なくとも１つの他のモバイルデバイス１１５は、基地局１０５のカバレージエリア内で動作してよい。代替的に、他のモバイルデバイス１１５のうちの１つまたは複数は、それらのそれぞれの基地局１０５のためのＭＢＭＳリレーデバイスとして働き得る。
【０１１３】
[0118]いくつかの実施形態では、ブロック１０１０における動作は、図４、図５、図６、および／もしくは図７を参照しながら説明されたピア発見モジュール４４０、ならびに／または、図４を参照しながら説明されたリレーサービス取得モジュール４６５を使用して、実施され得る。
【０１１４】
[0119]したがって、方法１０００は、ＭＢＭＳを管理するために使用され得る。方法１０００は一実装形態にすぎず、方法１０００の動作は、他の実装形態が可能であるように再構成またはさもなければ修正されてよいことに留意されたい。
【０１１５】
[0120]図１１は、ＭＢＭＳを管理するための方法１１００の一実施形態を示すフローチャートである。明快のために、方法１１００について、図１、図２、図３、および／もしくは図４を参照しながら説明されたモバイルデバイス１１５のうちの１つもしくは複数、ならびに／または、図４、図５、図６、および／もしくは図７を参照しながら説明されたピア発見モジュール４４０の態様を参照しながら、以下で説明される。いくつかの実装形態では、ピア発見モジュール４４０は、以下で説明される機能を実施するようにモバイルデバイス１１５の機能要素を制御するためのコードの１つまたは複数のセットを実行し得る。
【０１１６】
[0121]ブロック１１０５で、モバイルデバイス１１５は、カバレージ外ステータスを検知し得る。いくつかの場合には、カバレージ外ステータスは、基地局１０５のカバレージエリアの外側で動作するとき（または、それに続いて）検知され得る。他の場合には、カバレージ外ステータスは、基地局１０５のカバレージエリアの外側で動作するより前に検知され得る（たとえば、モバイルデバイス１１５は、弱まっていく信号強度および／または他のファクタに基づいて、それが基地局１０５のカバレージエリアを出つつあると決定し得る）。いくつかの実施形態では、カバレージ外ステータスは、図４を参照しながら説明されたような、ピア発見モジュール４４０および／または検知モジュール４５５を使用して、検知され得る。
【０１１７】
[0122]ブロック１１１０で、カバレージ外ステータスインジケータまたはＭＢＭＳクエリ（たとえば、ＭＢＭＳコンテンツをリレーするための要求）が、第１のピア発見信号においてブロードキャストされ得る。カバレージ外ステータスインジケータまたはＭＢＭＳクエリは、いくつかの場合には、モバイルデバイス１１５によってブロードキャストされてよく、モバイルデバイス１１５の、基地局１０５へ／からのリレーサービスのための必要性、および／または、モバイルデバイス１１５の、少なくとも１つのＭＢＭＳを受信（もしくは維持）するための希望を示し得る。いくつかの実施形態では、この信号は、図４、図５、図６、および／もしくは図７を参照しながら説明されたピア発見モジュール４４０、ならびに／または、図５、図６、および／もしくは図７を参照しながら説明されたピア発見信号生成モジュール５１５を使用して、ブロードキャストされ得る。
【０１１８】
[0123]ブロック１１１５で、第２のピア発見信号が、少なくとも１つのＭＢＭＳリレーデバイスから受信され得る。第２のピア発見信号は、少なくとも１つのＭＢＭＳについてのサービス告知情報の少なくともサブセットを含み得る。第２のピア発見信号はまた、ＭＢＭＳリレーデバイスとして機能するための、少なくとも１つの他のモバイルデバイス１１５の能力を示し得る（たとえば、ピア発見信号が、少なくとも１つの他のモバイルデバイス１１５の各々から受信されてよく、各ピア発見信号は、少なくとも１つの他のモバイルデバイス１１５のうちのそれぞれ１つがＭＢＭＳリレーデバイスとして機能することが可能であるか否かを示し得る）。
【０１１９】
[0124]いくつかの場合には、モバイルデバイス１１５は、基地局１０５のカバレージエリアの外側で動作してよく、少なくとも１つの他のモバイルデバイス１１５は、基地局１０５のカバレージエリア内で動作してよい。代替的に、他のモバイルデバイス１１５のうちの１つまたは複数は、それらのそれぞれの基地局１０５のためのＭＢＭＳリレーデバイスとして働き得る。
【０１２０】
[0125]いくつかの実施形態では、ブロック１１１５における動作は、図４、図５、図６、および／もしくは図７を参照しながら説明されたピア発見モジュール４４０、ならびに／または、図４を参照しながら説明されたリレーサービス取得モジュール４６５を使用して、実施され得る。
【０１２１】
[0126]ブロック１１２０で、ＭＢＭＳのコンテンツを送達するためのＭＢＭＳリレーデバイスが識別され得る。ＭＢＭＳリレーデバイスは、たとえば、特定のＭＢＭＳが、ピア発見信号を送信したデバイスから利用可能であるか否かを決定するために、少なくとも１つの第２のピア発見信号の各々を分析することと、（たとえば、ピア発見信号の信号強度がしきい値を超えること、および／または、ピア発見信号が、受信されたピア発見信号のうちの最強のものであることに基づいて）いくつかの候補ＭＢＭＳリレーデバイスのうちのどれがＭＢＭＳを最良に提供することができるかを決定するために、受信されたピア発見信号の信号強度などのファクタを分析することとによって、識別され得る。
【０１２２】
[0127]ブロック１１２５で、識別されたＭＢＭＳリレーデバイスに関連付けるための手順が開始され得る。この手順は、識別されたＭＢＭＳリレーデバイスとの直接リンク（たとえば、ピアツーピアリンク）の確立を生じ得る。いくつかの場合には、直接リンクは、ポイントツーポイントリンクであり得る。他の場合には、直接リンクは、それにおいてモバイルデバイス１１５が、共通のＭＢＭＳリレーデバイスによってサービスされた複数のポイントのうちの１つである、ポイントツーマルチポイントリンクの一部であり得る。いくつかの実施形態では、直接リンクは、図４を参照しながら説明された通信管理モジュール４３０および／または直接リンク管理モジュール４６０を使用して、確立され得る。
【０１２３】
[0128]ブロック１１３０で、特定のＭＢＭＳに加入するための要求が、識別されたＭＢＭＳリレーデバイスへ送信され得る。この要求は、そのターゲットにされたＭＢＭＳのＩＰアドレスへのＩＧＭＰ／ＭＬＤ加入メッセージを含み得る。この要求は、ＭＢＭＳリレーデバイスからコアネットワークへリレーされ得る。コアネットワークのデバイスおよび／またはアプリケーションは、次いで、モバイルデバイス１１５が特定のＭＢＭＳの許可された加入者であるか、または特定のＭＢＭＳに加入する資格があるか否かを決定し得る。
【０１２４】
[0129]モバイルデバイス１１５が特定のＭＢＭＳの加入者であるか、または特定のＭＢＭＳに加入する資格があると仮定すると、ブロック１１３５で、特定のＭＢＭＳのコンテンツ（または、複数のＭＢＭＳのコンテンツ）が、識別されたＭＢＭＳリレーデバイスを介して受信され得る。
【０１２５】
[0130]いくつかの場合には、ＭＢＭＳに加入しているカバレージ外モバイルデバイス１１５は、ＭＢＭＳの１つまたは複数の加入者にアドレス指定されたコンテンツをブロードキャストし得る。そのような場合、コンテンツは、１つまたは複数の加入者への配信のために、（たとえば、モバイルデバイス１１５からＭＢＭＳリレーデバイスへのアップリンクを介して）識別されたＭＢＭＳリレーデバイスによって、ネットワークサーバへリレーされ得る。
【０１２６】
[0131]したがって、方法１１００は、ＭＢＭＳを管理するために使用され得る。方法１１００は一実装形態にすぎず、方法１１００の動作は、他の実装形態が可能であるように再構成またはさもなければ修正されてよいことに留意されたい。
【０１２７】
[0132]添付の図面に関して上記に記載された発明を実施するための形態は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。発明を実施するための形態は、説明された技法の理解を与えるための具体的な詳細を含む。しかしながら、これらの技法は、これらの具体的な詳細なしに実践され得る。場合によっては、説明された実施形態の概念を不明瞭にしないために、よく知られている構造およびデバイスがブロック図の形態で示される。
【０１２８】
[0133]本明細書で説明される技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰのロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる組織からの文書に記載されている。ＣＤＭＡ２０００およびＵＭＢは、「第３世代パートナーシッププロジェクト２」（３ＧＰＰ２）と呼ばれる組織からの文書に記載されている。本明細書で説明される技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【０１２９】
[0134]様々な開示される実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤでの通信は、ＩＰベースであり得る。無線リンク制御（ＲＬＣ）レイヤは、論理チャネルを介して通信するために、パケットセグメンテーションとリアセンブリとを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１３０】
[0135]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３１】
[0136]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０１３２】
[0137]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的な場所で実装されるように分散されることを含む、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１３３】
[0138]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備え得る。また、任意の接続がコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含み、この場合、ディスク（disk）は、通常、磁気的にデータを再生し、一方ディスク（disc）は、レーザーを用いてデータを光学的に再生する。上記の組合せもコンピュータ可読媒体の範囲内に含まれる。
【０１３４】
[0139]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
【図１】
2019195191.tif 000003
【図２】
2019195191.tif 000004
【図３Ａ】
2019195191.tif 000005
【図３Ｂ】
2019195191.tif 000006
【図４】
2019195191.tif 000007
【図５】
2019195191.tif 000008
【図６】
2019195191.tif 000009
【図７】
2019195191.tif 000010
【図８】
2019195191.tif 000011
【図９】
2019195191.tif 000012
【図１０】
2019195191.tif 000013
【図１１】
2019195191.tif 000014
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
マルチメディアブロードキャストマルチキャストサービス（ＭＢＭＳ）を管理するための方法であって、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を備える方法。
【手続補正２】
【補正対象書類名】明細書
【補正対象項目名】０１３４
【補正方法】変更
【補正の内容】
【０１３４】
[0139]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］  マルチメディアブロードキャストマルチキャストサービス（ＭＢＭＳ）を管理するための方法であって、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を備える方法。
［Ｃ２］  前記ピア発見信号においてブロードキャストするために、前記サービス告知情報の前記少なくともサブセットを選択すること
をさらに備える、Ｃ１に記載の方法。
［Ｃ３］  前記少なくとも１つのＭＢＭＳの１つまたは複数のパラメータを識別することと、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定することと
をさらに備える、Ｃ１に記載の方法。
［Ｃ４］  前記少なくとも１つのＭＢＭＳの前記コンテンツが前記基地局によって送達されることになるという第１の通知を受信すること
をさらに備える、Ｃ１に記載の方法。
［Ｃ５］  前記第１の通知を受信すると、前記少なくとも１つのモバイルデバイスへ第２の通知を送信すること
をさらに備える、Ｃ４に記載の方法。
［Ｃ６］  前記少なくとも１つのＭＢＭＳの少なくとも１つのマルチキャストストリームを受信することと、
前記基地局の前記カバレージエリアの外側で動作する前記少なくとも１つのモバイルデバイスへ、前記少なくとも１つのマルチキャストストリームを再送信することと
をさらに備える、Ｃ１に記載の方法。
［Ｃ７］  複数のＭＢＭＳから、前記少なくとも１つのＭＢＭＳを選択すること
をさらに備える、Ｃ１に記載の方法。
［Ｃ８］  前記ピア発見信号において、前記少なくとも１つのＭＢＭＳの前記コンテンツをリレーするための能力を示すＭＢＭＳリレーステータスをブロードキャストすること、
をさらに備える、Ｃ１に記載の方法。
［Ｃ９］  前記ピア発見信号において、識別情報をブロードキャストすること
をさらに備える、Ｃ１に記載の方法。
［Ｃ１０］  ポイントツーポイントリンクを確立することと、
前記ポイントツーポイントリンクを介して、前記少なくとも１つのＭＢＭＳの前記コンテンツをリレーすることと
をさらに備える、Ｃ１に記載の方法。
［Ｃ１１］  ポイントツーマルチポイントリンクを確立することと、
前記ポイントツーマルチポイントリンクを介して、前記少なくとも１つのＭＢＭＳの前記コンテンツをリレーすることと
をさらに備える、Ｃ１に記載の方法。
［Ｃ１２］  マルチメディアブロードキャストマルチキャストサービス（ＭＢＭＳ）を管理するための装置であって、
少なくとも１つのＭＢＭＳについてのサービス告知情報を受信するための手段と、
ピア発見信号において、前記サービス告知情報の少なくともサブセットをブロードキャストするための手段と、
基地局のカバレージエリアの外側で動作する少なくとも１つのモバイルデバイスへ、前記少なくとも１つのＭＢＭＳのコンテンツをリレーするための手段と
を備える装置。
［Ｃ１３］  前記ピア発見信号においてブロードキャストするために、前記サービス告知情報の前記少なくともサブセットを選択するための手段
をさらに備える、Ｃ１２に記載の装置。
［Ｃ１４］  前記少なくとも１つのＭＢＭＳの１つまたは複数のパラメータを識別するための手段と、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定するための手段と
をさらに備える、Ｃ１２に記載の装置。
［Ｃ１５］  前記少なくとも１つのＭＢＭＳの前記コンテンツが前記基地局によって送達されることになるという第１の通知を受信するための手段
をさらに備える、Ｃ１２に記載の装置。
［Ｃ１６］  前記第１の通知を受信すると、前記少なくとも１つのモバイルデバイスへ第２の通知を送信するための手段
をさらに備える、Ｃ１５に記載の装置。
［Ｃ１７］  前記少なくとも１つのＭＢＭＳの少なくとも１つのマルチキャストストリームを受信するための手段と、
前記基地局の前記カバレージエリアの外側で動作する前記少なくとも１つのモバイルデバイスへ、前記少なくとも１つのマルチキャストストリームを再送信するための手段とをさらに備える、Ｃ１２に記載の装置。
［Ｃ１８］  複数のＭＢＭＳから、前記少なくとも１つのＭＢＭＳを選択するための手段
をさらに備える、Ｃ１２に記載の装置。
［Ｃ１９］  前記ピア発見信号において、前記少なくとも１つのＭＢＭＳの前記コンテンツをリレーするための能力を示すＭＢＭＳリレーステータスをブロードキャストするための手段、をさらに備える、Ｃ１２に記載の装置。
［Ｃ２０］  前記ピア発見信号において、識別情報をブロードキャストするための手段
をさらに備える、Ｃ１２に記載の装置。
［Ｃ２１］  ポイントツーポイントリンクを確立するための手段と、
前記ポイントツーポイントリンクを介して、前記少なくとも１つのＭＢＭＳの前記コンテンツをリレーするための手段と
をさらに備える、Ｃ１２に記載の装置。
［Ｃ２２］  ポイントツーマルチポイントリンクを確立するための手段と、
前記ポイントツーマルチポイントリンクを介して、前記少なくとも１つのＭＢＭＳの前記コンテンツをリレーするための手段と
をさらに備える、Ｃ１２に記載の装置。
［Ｃ２３］  マルチメディアブロードキャストマルチキャストサービス（ＭＢＭＳ）を管理するための装置であって、
プロセッサと、
前記プロセッサと電子通信しているメモリと、
前記メモリに記憶された命令と、
を備え、
前記命令が、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を行うように前記プロセッサによって実行可能である、
装置。
［Ｃ２４］  前記命令が、
前記ピア発見信号においてブロードキャストするために、前記サービス告知情報の前記少なくともサブセットを選択すること
を行うように前記プロセッサによって実行可能である、Ｃ２３に記載の装置。
［Ｃ２５］  前記命令が、
前記少なくとも１つのＭＢＭＳの１つまたは複数のパラメータを識別することと、
前記少なくとも１つのＭＢＭＳの前記識別された１つまたは複数のパラメータに少なくとも部分的に基づいて、前記少なくとも１つのＭＢＭＳのためのリレーサービスを提供するべきか否かを決定することと
を行うように前記プロセッサによって実行可能である、Ｃ２３に記載の装置。
［Ｃ２６］  前記命令が、
前記ピア発見信号において、前記少なくとも１つのＭＢＭＳの前記コンテンツをリレーするための能力を示すＭＢＭＳリレーステータスをブロードキャストすること、
を行うように前記プロセッサによって実行可能である、Ｃ２３に記載の装置。
［Ｃ２７］  前記命令が、
前記ピア発見信号において、識別情報をブロードキャストすること
を行うように前記プロセッサによって実行可能である、Ｃ２３に記載の装置。
［Ｃ２８］  前記命令が、
ポイントツーポイントリンクを確立することと、
前記ポイントツーポイントリンクを介して、前記少なくとも１つのＭＢＭＳの前記コンテンツをリレーすることと
を行うように前記プロセッサによって実行可能である、Ｃ２３に記載の装置。
［Ｃ２９］  前記命令が、
ポイントツーマルチポイントリンクを確立することと、
前記ポイントツーマルチポイントリンクを介して、前記少なくとも１つのＭＢＭＳの前記コンテンツをリレーすることと
を行うように前記プロセッサによって実行可能である、Ｃ２３に記載の装置。
［Ｃ３０］  マルチメディアブロードキャストマルチキャストサービス（ＭＢＭＳ）を管理するためのコンピュータプログラム製品であって、
少なくとも１つのＭＢＭＳについてのサービス告知情報を受信することと、
ピア発見信号において、前記サービス告知情報の少なくともサブセットをブロードキャストすることと、
基地局のカバレージエリアの外側で動作する少なくとも１つのモバイルデバイスへ、前記少なくとも１つのＭＢＭＳのコンテンツをリレーすることと
を行うようにプロセッサによって実行可能な命令を記憶する、非一時的コンピュータ可読媒体を備える、コンピュータプログラム製品。
［Ｃ３１］  前記命令が、
前記ピア発見信号において、前記少なくとも１つのＭＢＭＳの前記コンテンツをリレーするための能力を示すＭＢＭＳリレーステータスをブロードキャストすること、
を行うように前記プロセッサによって実行可能である、Ｃ３０に記載のコンピュータプログラム製品。
［Ｃ３２］  前記命令が、
ポイントツーポイントリンクを確立することと、
前記ポイントツーポイントリンクを介して、前記少なくとも１つのＭＢＭＳの前記コンテンツをリレーすることと
を行うように前記プロセッサによって実行可能である、Ｃ３０に記載のコンピュータプログラム製品。
［Ｃ３３］  前記命令が、
ポイントツーマルチポイントリンクを確立することと、
前記ポイントツーマルチポイントリンクを介して、前記少なくとも１つのＭＢＭＳの前記コンテンツをリレーすることと
を行うように前記プロセッサによって実行可能である、Ｃ３０に記載のコンピュータプログラム製品。
［Ｃ３４］  マルチメディアブロードキャストマルチキャストサービス（ＭＢＭＳ）を管理するための方法であって、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、を備える方法。
［Ｃ３５］  特定のＭＢＭＳのコンテンツを送達するためのＭＢＭＳリレーデバイスを識別することと、
前記識別されたＭＢＭＳリレーデバイスに関連付けるための手順を開始することと
をさらに備える、Ｃ３４に記載の方法。
［Ｃ３６］  前記識別されたＭＢＭＳリレーデバイスに関連付けるための前記手順が、
前記ＭＢＭＳリレーデバイスへ、前記特定のＭＢＭＳに加入するための要求を送信することを備え、
前記要求が、前記ＭＢＭＳリレーデバイスからコアネットワークへリレーされる、Ｃ３５に記載の方法。
［Ｃ３７］  ＭＢＭＳの１つまたは複数の加入者にアドレス指定されたコンテンツをブロードキャストすることをさらに備え、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、Ｃ３４に記載の方法。
［Ｃ３８］  マルチメディアブロードキャストマルチキャストサービス（ＭＢＭＳ）を管理するための装置であって、
第１のピア発見信号において、カバレージ外ステータスインジケータまたはＭＢＭＳクエリをブロードキャストするための手段と、
少なくとも１つのＭＢＭＳリレーデバイスから、少なくとも１つのＭＢＭＳについてのサービス告知情報の少なくともサブセットを備える第２のピア発見信号を受信するための手段と、
を備える装置。
［Ｃ３９］  特定のＭＢＭＳのコンテンツを送達するためのＭＢＭＳリレーデバイスを識別するための手段と、
前記識別されたＭＢＭＳリレーデバイスに関連付けるための手順を開始するための手段と
をさらに備える、Ｃ３８に記載の装置。
［Ｃ４０］  前記識別されたＭＢＭＳリレーデバイスに関連付けるための前記手順を開始するための前記手段が、
前記ＭＢＭＳリレーデバイスへ、前記特定のＭＢＭＳに加入するための要求を送信するための手段を備え、
前記要求が、前記ＭＢＭＳリレーデバイスからコアネットワークへリレーされる、Ｃ３９に記載の装置。
［Ｃ４１］  ＭＢＭＳの１つまたは複数の加入者にアドレス指定されたコンテンツをブロードキャストするための手段をさらに備え、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、Ｃ３８に記載の装置。
［Ｃ４２］  マルチメディアブロードキャストマルチキャストサービス（ＭＢＭＳ）を管理するための装置であって、
プロセッサと、
前記プロセッサと電子通信しているメモリと、
前記メモリに記憶された命令と
を備え、前記命令が、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、
を行うように前記プロセッサによって実行可能である、
装置。
［Ｃ４３］  前記命令が、
特定のＭＢＭＳのコンテンツを送達するためのＭＢＭＳリレーデバイスを識別することと、
前記識別されたＭＢＭＳリレーデバイスに関連付けるための手順を開始することと
を行うように前記プロセッサによって実行可能である、Ｃ４２に記載の装置。
［Ｃ４４］  前記識別されたＭＢＭＳリレーデバイスに関連付けるための前記手順を開始するための前記命令が、
前記ＭＢＭＳリレーデバイスへ、前記特定のＭＢＭＳに加入するための要求を送信するための命令を備え、
前記要求が、前記ＭＢＭＳリレーデバイスからコアネットワークへリレーされる、Ｃ４３に記載の装置。
［Ｃ４５］  前記命令が、
前記ＭＢＭＳの１つまたは複数の加入者にアドレス指定されたコンテンツをブロードキャストすること、を行うように前記プロセッサによって実行可能であり、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、Ｃ４２に記載の装置。
［Ｃ４６］  マルチメディアブロードキャストマルチキャストサービス（ＭＢＭＳ）を管理するためのコンピュータプログラム製品であって、
第１のピア発見信号において、カバレージ外ステータスインジケータまたはＭＢＭＳクエリをブロードキャストすることと、
少なくとも１つのＭＢＭＳリレーデバイスから、少なくとも１つのＭＢＭＳについてのサービス告知情報の少なくともサブセットを備える第２のピア発見信号を受信することと、
を行うようにプロセッサによって実行可能な命令を記憶する、非一時的コンピュータ可読媒体を備える、コンピュータプログラム製品。
［Ｃ４７］  前記命令が、
特定のＭＢＭＳのコンテンツを送達するためのＭＢＭＳリレーデバイスを識別することと、
前記識別されたＭＢＭＳリレーデバイスに関連付けるための手順を開始することと
を行うように前記プロセッサによって実行可能である、Ｃ４６に記載のコンピュータプログラム製品。
［Ｃ４８］  前記識別されたＭＢＭＳリレーデバイスに関連付けるための前記手順を開始するための前記命令が、
前記ＭＢＭＳリレーデバイスへ、前記特定のＭＢＭＳに加入するための要求を送信するための命令を備え、
前記要求が、前記ＭＢＭＳリレーデバイスからコアネットワークへリレーされる、Ｃ４７に記載のコンピュータプログラム製品。
［Ｃ４９］  前記命令が、
前記少なくとも１つのＭＢＭＳの１つまたは複数の加入者にアドレス指定されたコンテンツをブロードキャストすること、
を行うように前記プロセッサによって実行可能であり、
前記コンテンツが、前記ＭＢＭＳの前記１つまたは複数の加入者への配信のために、前記少なくとも１つのＭＢＭＳリレーデバイスのうちの１つによって、ネットワークサーバへリレーされる、Ｃ４６に記載のコンピュータプログラム製品。
【外国語明細書】
2019195191000001.pdf